(57)【要約】  本発明の表示装置は、高電位側及び低電位側の出力電位の少なくとも一方を出力する電源供給部と、複数の発光画素（１１１）がマトリクス状に配置され、電源供給部から電源供給を受ける表示部と、当該表示部内における少なくとも一つの発光画素（１１１Ｍ）に一端が接続され、マトリクス状に配置された発光画素（１１１）の列方向に沿って配置された、発光画素（１１１Ｍ）に印加される高電位側の電位を伝達するためのモニタ用配線（１０Ａ）と、モニタ用配線（１０Ａ）の他端に接続され、高電位側の電位と低電位側の電位との電位差が所定の電位差となるように、電源供給部から出力される高電位側及び低電位側の出力電位の少なくとも一方を調整する電圧調整部とを備える。
2013008271.tif 000002
【特許請求の範囲】
【請求項１】
高電位側及び低電位側の出力電位の少なくとも一方を出力する電源供給部と、
複数の発光画素がマトリクス状に配置され、前記電源供給部から電源供給を受ける表示部と、
前記表示部内における少なくとも一つの発光画素に一端が接続され、マトリクス状に配置された前記複数の発光画素の行方向または列方向に沿って配置された、前記発光画素に印加される高電位側の電位または低電位側の電位を伝達するための検出線と、
前記検出線の他端に接続され、前記高電位側の電位と基準電位との電位差、前記低電位側の電位と基準電位との電位差、及び、前記高電位側の電位と前記低電位側の電位との電位差のうち、いずれかが所定の電位差となるように、前記電源供給部から出力される高電位側及び前記低電位側の出力電位の少なくとも一方を調整する電圧調整部とを備える、
表示装置。
【請求項２】
前記表示装置は、複数の前記検出線を備え、
前記複数の検出線は、３以上の前記発光画素に印加される高電位側の電位をそれぞれ伝達するための３本以上の高電位検出線、及び、３以上の前記発光画素に印加される低電位側の電位をそれぞれ伝達するための３本以上の低電位検出線の少なくとも一方を含み、
前記高電位検出線及び前記低電位検出線の少なくとも一方は、隣り合う検出線どうしの間隔が互いに同一となるよう配置されている、
請求項１に記載の表示装置。
【請求項３】
前記複数の発光画素は、それぞれ、
ソース電極及びドレイン電極を有する駆動素子と、
第１の電極及び第２の電極を有する発光素子とを備え、
前記第１の電極が前記駆動素子のソース電極及びドレイン電極の一方に接続され、前記ソース電極及びドレイン電極の他方と前記第２の電極との一方に前記高電位側の電位が印加され、前記ソース電極及びドレイン電極の他方と前記第２の電極との他方に前記低電位側の電位が印加される、
請求項１に記載の表示装置。
【請求項４】
前記行方向及び列方向の少なくとも一つの方向において相互に隣接する発光画素の有する前記駆動素子の前記ソース電極及びドレイン電極の他方どうしを電気的に接続する第１の電源線と、前記行方向及び列方向において相互に隣接する発光画素の有する前記発光素子の前記第２の電極どうしを電気的に接続する第２の電源線とを具備し、
前記複数の発光画素は、前記第１の電源線及び前記第２の電源線を介して前記電源供給部からの電源供給を受ける、
請求項３に記載の表示装置。
【請求項５】
前記検出線は、前記第１の電源線と同一の層に形成されている、
請求項４に記載の表示装置。
【請求項６】
さらに、前記検出線と同一の層に形成され、前記行方向及び列方向の少なくとも一つの方向に沿って配置された、前記発光画素を制御するための制御線を複数備え、
前記検出線と当該検出線に隣り合う前記制御線との間隔は、隣り合う前記制御線どうしの間隔と同一となるように配置されている、
請求項５に記載の表示装置。
【請求項７】
前記検出線は、前記制御線と同一の工程によって形成されたものである、
請求項６に記載の表示装置。
【請求項８】
前記第１の電源線が形成された層と前記第２の電源線が形成された層との間には、絶縁層が形成されており、
前記検出線の一端は、前記絶縁層に形成されたコンタクト部を介して前記第２の電極と接続されている、
請求項５に記載の表示装置。
【請求項９】
さらに、前記第２の電源線に電気的に接続され、前記行方向または列方向に沿って配置された補助電極線を複数備え、
前記検出線は、前記補助電極線と同一の層に形成され、前記検出線と前記第１の電源線との間には絶縁層が形成されている、
請求項４に記載の表示装置。
【請求項１０】
前記検出線は、前記第１の電極と同一の層に形成されている、
請求項９に記載の表示装置。
【請求項１１】
前記検出線と当該検出線に隣り合う前記補助電極線との間隔は、隣り合う前記補助電極線どうしの間隔と同一となるように配置されている、
請求項１０に記載の表示装置。
【請求項１２】
前記検出線は、前記補助電極線と同一の工程によって形成されたものである、
請求項１１に記載の表示装置。
【請求項１３】
前記検出線は、前記表示部内における少なくとも一つの発光画素と、前記表示部の周縁部に配置された給電部との距離が最短となるように配置されている、
請求項４に記載の表示装置。
【請求項１４】
前記検出線は、前記発光素子、前記第１の電源線及び前記第２の電源線が形成された層と異なる所定の層に形成されており、当該所定の層において、前記検出線の配線面積は、検出線以外の電気配線の配線面積よりも大きい、
請求項４に記載の表示装置。
【請求項１５】
前記発光素子は、有機ＥＬ素子である、
請求項３に記載の表示装置。
【発明の詳細な説明】
【技術分野】
【０００１】
本発明は、有機ＥＬに代表される電流駆動型発光素子を用いたアクティブマトリクス型表示装置に関し、さらに詳しくは、消費電力低減効果の高い表示装置に関する。
【背景技術】
【０００２】
一般に、有機ＥＬ素子の輝度は、素子に供給される駆動電流に依存し、駆動電流に比例して素子の発光輝度が大きくなる。従って、有機ＥＬ素子からなるディスプレイの消費電力は、表示輝度の平均で決まる。即ち、液晶ディスプレイと異なり、有機ＥＬディスプレイの消費電力は、表示画像によって大きく変動する。【０００３】
例えば、有機ＥＬディスプレイにおいては、全白画像を表示した場合に最も大きな消費電力を必要とするが、一般的な自然画の場合は、全白時に対して２０〜４０％程度の消費電力で十分とされる。【０００４】
しかしながら、電源回路設計やバッテリ容量は、ディスプレイの消費電力が最も大きくなる場合を想定して設計されることから、一般的な自然画に対して３〜４倍の消費電力を考慮しなければならず、機器の低消費電力化及び小型化の妨げとなっている。【０００５】
そこで従来では、映像データのピーク値を検出し、その検出データに基づいて有機ＥＬ素子のカソード電圧を調整して、電源電圧を減少させることにより表示輝度をほとんど低下させずに消費電力を抑制するという技術が提案されている（例えば、特許文献１参照）。
【先行技術文献】
【特許文献】
【０００６】
【特許文献１】特開２００６−０６５１４８号公報
【発明の概要】
【発明が解決しようとする課題】
【０００７】
さて、有機ＥＬ素子は電流駆動素子であることから、電源配線には電流が流れ、配線抵抗に比例した電圧降下が発生する。そのため、ディスプレイに供給される電源電圧は、電圧降下を補う電圧降下マージンを上乗せして設定されている。電圧降下分を補う電圧降下マージンについても、上述の電源回路設計やバッテリ容量と同様に、ディスプレイの消費電力が一番大きくなる場合を想定して設定されることから、一般的な自然画に対して無駄な電力が消費されていることになる。【０００８】
モバイル機器用途を想定した小型ディスプレイでは、パネル電流が小さいので、電圧降下分を補う電圧降下マージンは発光画素で消費される電圧に比べて無視できるほど小さい。しかし、パネルの大型化に伴って電流が増加すると、電源配線で生じる電圧降下が無視できなくなる。【０００９】
しかしながら、上記特許文献１における従来技術においては、各発光画素における消費電力を低減することはできるが、電圧降下分を補う電圧降下マージンを低減することはできず、家庭向けの３０型以上の大型表示装置における消費電力低減効果としては不十分である。【００１０】
本発明は上述の問題に鑑みてなされたものであり、消費電力低減効果の高い表示装置を提供することを目的とする。
【課題を解決するための手段】
【００１１】
上記目的を達成するために、本発明の一態様に係る表示装置は、高電位側及び低電位側の出力電位の少なくとも一方を出力する電源供給部と、複数の発光画素がマトリクス状に配置され、前記電源供給部から電源供給を受ける表示部と、前記表示部内における少なくとも一つの発光画素に一端が接続され、マトリクス状に配置された前記複数の発光画素の行方向または列方向に沿って配置された、前記発光画素に印加される高電位側の電位または低電位側の電位を伝達するための検出線と、前記検出線の他端に接続され、前記高電位側の電位と基準電位との電位差、前記低電位側の電位と基準電位との電位差、及び、前記高電位側の電位と前記低電位側の電位との電位差のうち、いずれかが所定の電位差となるように、前記電源供給部から出力される高電位側及び前記低電位側の出力電位の少なくとも一方を調整する電圧調整部とを備えることを特徴とする。
【発明の効果】
【００１２】
本発明によれば、消費電力低減効果の高い表示装置を実現できる。
【図面の簡単な説明】
【００１３】
【図１】図１は、本発明の実施の形態１に係る表示装置の概略構成を示すブロック図である。
【図２】図２は、実施の形態１に係る有機ＥＬ表示部の構成を模式的に示す斜視図である。
【図３】図３は、モニタ用の発光画素の具体的な構成の一例を示す回路図である。
【図４】図４は、実施の形態１に係る可変電圧源の具体的な構成の一例を示すブロック図である。
【図５】図５は、本発明の実施の形態１に係る表示装置の動作を示すフローチャートである。
【図６】図６は、実施の形態１に係る必要電圧換算テーブルの一例を示す図である。
【図７】図７は、電圧マージン換算テーブルの一例を示す図である。
【図８】図８は、第Ｎフレーム〜第Ｎ＋２フレームにおける、実施の形態１に係る表示装置の動作を示すタイミングチャートである。
【図９】図９は、有機ＥＬ表示部に表示される画像を模式的に示す図である。
【図１０】図１０は、従来の表示装置における有機ＥＬ表示部の配線レイアウト図である。
【図１１】図１１は、モニタ用配線を有する有機ＥＬ表示部の配線レイアウト図である。
【図１２】図１２は、本発明の実施の形態１に係る有機ＥＬ表示部の配線レイアウト図である。
【図１３】図１３は、本発明の実施の形態１の第１の変形例を示す有機ＥＬ表示部の配線レイアウト図である。
【図１４】図１４は、本発明の実施の形態１の第２の変形例を示す有機ＥＬ表示部の配線レイアウト図である。
【図１５】図１５は、本発明の実施の形態１の第３の変形例を示す有機ＥＬ表示部の配線レイアウト図である。
【図１６】図１６は、本発明の実施の形態１の第４の変形例を示す有機ＥＬ表示部の配線レイアウト図である。
【図１７】図１７は、本発明の実施の形態１の第５の変形例を示す有機ＥＬ表示部の配線レイアウト図である。
【図１８】図１８は、有機ＥＬ表示部におけるモニタ用配線の配線方向を比較する図である。
【図１９】図１９は、本発明の実施の形態２に係る表示装置の概略構成を示すブロック図である。
【図２０】図２０は、実施の形態２に係る可変電圧源の具体的な構成の一例を示すブロック図である。
【図２１】図２１は、本発明の表示装置の動作を示すフローチャートである。
【図２２】図２２は、必要電圧換算テーブルの一例を示す図である。
【図２３】図２３は、本発明の実施の形態３に係る表示装置の概略構成を示すブロック図である。
【図２４】図２４は、実施の形態３に係る可変電圧源の具体的な構成の一例を示すブロック図である。
【図２５】図２５は、第Ｎフレーム〜第Ｎ＋２フレームにおける、実施の形態２に係る表示装置の動作を示すタイミングチャートである。
【図２６】図２６は、本発明の実施の形態４に係る表示装置の概略構成の一例を示すブロック図である。
【図２７】図２７は、本発明の実施の形態４に係る表示装置の概略構成の他の一例を示すブロック図である。
【図２８Ａ】図２８Ａは、実施の形態４に係る有機ＥＬ表示部に表示される画像の一例を模式的に示す図である。
【図２８Ｂ】図２８Ｂは、ｘ−ｘ’線における第１電源配線の電圧降下量を示すグラフである。
【図２９Ａ】図２９Ａは、実施の形態４に係る有機ＥＬ表示部に表示される画像の他の一例を模式的に示す図である。
【図２９Ｂ】図２９Ｂは、ｘ−ｘ’線における第１電源配線の電圧降下量を示すグラフである。
【図３０】図３０は、本発明の実施の形態５に係る表示装置の概略構成を示すブロック図である。
【図３１】図３１は、本発明の実施の形態６に係る表示装置の概略構成の一例を示すブロック図である。
【図３２】図３２は、実施の形態６に係る有機ＥＬ表示部の構成を模式的に示す斜視図である。
【図３３Ａ】図３３Ａは、高電位側のモニタ用配線に接続された発光画素の回路構成図である。
【図３３Ｂ】図３３Ｂは、低電位側のモニタ用配線に接続された発光画素の回路構成図である。
【図３４】図３４は、本発明の実施の形態７に係る表示装置の概略構成を示すブロック図である。
【図３５】図３５は、本発明の実施の形態７に係る表示装置の電位分布及び検出点配置を表す図である。
【図３６】図３６は、本発明の実施の形態８に係る表示装置の概略構成を示すブロック図である。
【図３７Ａ】図３７Ａは、高電位側のモニタ用配線に接続された発光画素の回路構成図である。
【図３７Ｂ】図３７Ｂは、低電位側のモニタ用配線に接続された発光画素の回路構成図である。
【図３８】図３８は、本発明の実施の形態９に係る表示装置の概略構成を示すブロック図である。
【図３９】図３９は、実施の形態９に係る可変電圧源の具体的な構成の一例を示すブロック図である。
【図４０Ａ】図４０Ａは、本発明の表示装置が有する表示パネルの構成概略図である。
【図４０Ｂ】図４０Ｂは、本発明の表示装置が有する表示パネルの外周付近の構成を模式的に示す斜視図である。
【図４１】図４１は、本発明の実施の形態１０に係る表示装置の概略構成を示すブロック図である。
【図４２】図４２は、本発明の実施の形態１０に係る表示装置の電位分布及び検出点配置を表す図である。
【図４３】図４３は、映像データの階調に対応する、通常の発光画素の発光輝度及びモニタ用配線を有する発光画素の発光輝度を示すグラフである。
【図４４】図４４は、線欠陥が発生している画像を模式的に示す図である。
【図４５】図４５は、駆動トランジスタの電流−電圧特性と有機ＥＬ素子の電流−電圧特性とをあわせて示すグラフである。
【図４６】図４６は、本発明の表示装置を内蔵した薄型フラットＴＶの外観図である。
【発明を実施するための形態】
【００１４】
本発明に係る表示装置は、高電位側及び低電位側の出力電位の少なくとも一方を出力する電源供給部と、複数の発光画素がマトリクス状に配置され、前記電源供給部から電源供給を受ける表示部と、前記表示部内における少なくとも一つの発光画素に一端が接続され、マトリクス状に配置された前記複数の発光画素の行方向または列方向に沿って配置された、前記発光画素に印加される高電位側の電位または低電位側の電位を伝達するための検出線と、前記検出線の他端に接続され、前記高電位側の電位と基準電位との電位差、前記低電位側の電位と基準電位との電位差、及び、前記高電位側の電位と前記低電位側の電位との電位差のうち、いずれかが所定の電位差となるように、前記電源供給部から出力される高電位側及び前記低電位側の出力電位の少なくとも一方を調整する電圧調整部とを備えることを特徴とする。
【００１５】
これにより、電源供給部から少なくとも一つの発光画素までに発生する電圧降下量に応じて、電源供給部の高電位側の出力電位及び電源供給部の低電位側の出力電位の少なくとも一方を調整することにより、消費電力を削減することができる。また、発光画素の電位を検出するための検出線が、発光画素の行方向または列方向に沿って配置されるので、複数の発光画素のマトリクス状配置に変更を加えることなく、発光画素の電位検出ができる。
【００１６】
また、本発明に係る表示装置の一態様は、前記表示装置は、複数の前記検出線を備え、前記複数の検出線は、３以上の前記発光画素に印加される高電位側の電位をそれぞれ伝達するための３本以上の高電位検出線、及び、３以上の前記発光画素に印加される低電位側の電位をそれぞれ伝達するための３本以上の低電位検出線の少なくとも一方を含み、前記高電位検出線及び前記低電位検出線の少なくとも一方は、隣り合う検出線どうしの間隔が互いに同一となるよう配置されていてもよい。
【００１７】
これにより、電源供給部の高電位側の出力電位及び電源供給部の低電位側の出力電位の少なくとも一方を、より適切に調整することが可能となり、表示部を大型化した場合であっても、消費電力を効果的に削減できる。また、検出線の間隔が等しくなるように配置されているので、表示部の配線レイアウトに周期性を持たせることができ、製造効率が向上する。
【００１８】
また、本発明に係る表示装置の一態様は、前記複数の発光画素は、それぞれ、ソース電極及びドレイン電極を有する駆動素子と、第１の電極及び第２の電極を有する発光素子とを備え、前記第１の電極が前記駆動素子のソース電極及びドレイン電極の一方に接続され、前記ソース電極及びドレイン電極の他方と前記第２の電極との一方に前記高電位側の電位が印加され、前記ソース電極及びドレイン電極の他方と前記第２の電極との他方に前記低電位側の電位が印加されてもよい。
【００１９】
また、本発明に係る表示装置の一態様は、前記行方向及び列方向の少なくとも一つの方向において相互に隣接する発光画素の有する前記駆動素子の前記ソース電極及びドレイン電極の他方どうしを電気的に接続する第１の電源線と、前記行方向及び列方向において相互に隣接する発光画素の有する前記発光素子の前記第２の電極どうしを電気的に接続する第２の電源線とを具備し、前記複数の発光画素は、前記第１の電源線及び前記第２の電源線を介して前記電源供給部からの電源供給を受けてもよい。
【００２０】
また、本発明に係る表示装置の一態様は、前記検出線は、前記第１の電源線と同一の層に形成されていてもよい。
【００２１】
これにより、検出線は、第１の電源線と同一の工程によって形成されるので、表示パネルの製造プロセスが複雑化されない。
【００２２】
また、本発明に係る表示装置の一態様は、さらに、前記検出線と同一の層に形成され、前記行方向及び列方向の少なくとも一つの方向に沿って配置された、前記発光画素を制御するための制御線を複数備え、前記検出線と当該検出線に隣り合う前記制御線との間隔は、隣り合う前記制御線どうしの間隔と同一となるように配置されていてもよい。
【００２３】
これにより、制御線は行方向、列方向、または格子状に配置されるので、例えば、列方向に配置された制御線のうち数列を検出線として転用できる。よって、検出線が接続された発光画素を配置したことで、発光画素の画素ピッチや配線幅といった規則的パターンは変わらないので、表示上の違和感がなくなり境界が視認されにくい。
【００２４】
また、本発明に係る表示装置の一態様は、前記検出線は、前記制御線と同一の工程によって形成されたものであってもよい。
【００２５】
これにより、表示パネルの製造プロセスが複雑化されない。
【００２６】
また、本発明に係る表示装置の一態様は、前記第１の電源線が形成された層と前記第２の電源線が形成された層との間には、絶縁層が形成されており、前記検出線の一端は、前記絶縁層に形成されたコンタクト部を介して前記第２の電極と接続されていてもよい。
【００２７】
これによれば、第２の電源線の電位を検出する場合であって、第２の電源線が配置された層と同一の層に検出線を設けると発光画素の規則性が乱れ境界が視認されるような場合には、第２の電源線の電位を検出するための検出線を、第２の電源線が配置された層とは別層である第１の電源線が配置された層に配線する。つまり、上記検出線は、第１の電源線と同一の層に形成されている。なお、第２の電源線の電位の検出点と上記検出線とは、絶縁層に形成されたコンタクト部にて電気接続される。これにより、上記検出線は、第２の電源線が配置された層とは別の層に配線されるので、発光画素の規則性が乱れず、境界が視認されにくくなる。
【００２８】
また、本発明に係る表示装置の一態様は、さらに、前記第２の電源線に電気的に接続され、前記行方向または列方向に沿って配置された補助電極線を複数備え、前記検出線は、前記補助電極線と同一の層に形成され、前記検出線と前記第１の電源線との間には絶縁層が形成されていてもよい。
【００２９】
これによれば、補助電極線と同一の層に検出線を配置したことで、検出線用の層を別途設ける必要がなく、表示パネルの製造プロセスが複雑化されない。
【００３０】
また、本発明に係る表示装置の一態様は、前記検出線は、前記第１の電極と同一の層に形成されていてもよい。
【００３１】
これによれば、補助電極線及び第１の電極と同一の層に検出線を配置したことで、検出線用の層を別途設ける必要がなく、表示パネルの製造プロセスが複雑化されない。
【００３２】
また、本発明に係る表示装置の一態様は、前記検出線と当該検出線に隣り合う前記補助電極線との間隔は、隣り合う前記補助電極線どうしの間隔と同一となるように配置されていてもよい。
【００３３】
これにより、補助電極線は行方向または列方向に配置されるので、例えば、列方向に配置された補助電極線のうち数列を検出線として転用できる。よって、補助電極線が接続された発光画素を配置したことで、発光画素の画素ピッチや配線幅といった規則的パターンは変わらないので、表示上の違和感がなくなり境界が視認されにくい。
【００３４】
また、本発明に係る表示装置の一態様は、前記検出線は、前記補助電極線と同一の工程によって形成されたものであってもよい。
【００３５】
これにより、検出線は、補助電極線と同一の工程によって形成されるので、表示パネルの製造プロセスが複雑化されない。
【００３６】
また、本発明に係る表示装置の一態様は、前記検出線は、前記表示部内における少なくとも一つの発光画素と、前記表示部の周縁部に配置された給電部との距離が最短となるように配置されていてもよい。
【００３７】
これにより、検出線による線欠陥が短くなり目立ちにくくなる。
【００３８】
また、本発明に係る表示装置の一態様は、前記検出線は、前記発光素子、前記第１の電源線及び前記第２の電源線が形成された層と異なる所定の層に形成されており、当該所定の層において、前記検出線の配線面積は、検出線以外の電気配線の配線面積よりも大きくてもよい。
【００３９】
これによれば、検出線を、発光素子、第１の電源線及び前記第２の電源線が形成された層と異なる所定の層に配置したことで、発光画素の画素ピッチや配線幅、あるいは、画素回路素子の面積や配線幅といった規則的パターンは変わらないので、表示上の違和感がなくなり境界が視認されにくい。また、検出線レイアウトの自由度が高くなり、例えば、高電位側検出線と低電位側検出線とを同じ層に配置することも可能となる。
【００４０】
また、本発明に係る表示装置の一態様は、前記発光素子は、有機ＥＬ素子であってもよい。
【００４１】
これにより、消費電力が下がることにより発熱が抑えられるので、有機ＥＬ素子の劣化を抑制できる。
【００４２】
以下、本発明の好ましい実施の形態を図に基づき説明する。なお、以下では、全ての図を通じて同一又は相当する要素には同じ符号を付して、その重複する説明を省略する。
【００４３】
（実施の形態１）
本実施の形態に係る表示装置は、高電位側の電位及び低電位側の電位を出力する電源供給部と、複数の発光画素がマトリクス状に配置され当該電源供給部から電源供給を受ける表示部と、当該表示部内における少なくとも一つの発光画素に一端が接続され、マトリクス状に配置された複数の発光画素の行方向または列方向に沿って配置された、発光画素に印加される高電位側の電位または低電位側の電位を伝達するための検出線と、当該検出線の他端に接続され、発光画素に印加される高電位側の電位と低電位側の電位との電位差が所定の電位差となるように、電源供給部から出力される高電位側及び低電位側の出力電位の少なくとも一方を調整する電圧調整部とを備える。
【００４４】
これにより、本実施の形態に係る表示装置は、高い消費電力低減効果を実現する。
【００４５】
以下、本発明の実施の形態１について、図を用いて具体的に説明する。
【００４６】
図１は、本発明の実施の形態１に係る表示装置の概略構成を示すブロック図である。
【００４７】
同図に示す表示装置５０は、有機ＥＬ表示部１１０と、データ線駆動回路１２０と、書込走査駆動回路１３０と、制御回路１４０と、信号処理回路１６５と、電位差検出回路１７０と、電圧マージン設定部１７５と、可変電圧源１８０と、モニタ用配線１９０とを備える。
【００４８】
図２は、実施の形態１に係る有機ＥＬ表示部１１０の構成を模式的に示す斜視図である。なお、図中上方が表示面側である。
【００４９】
同図に示すように、有機ＥＬ表示部１１０は、複数の発光画素１１１と、第１電源配線１１２と、第２電源配線１１３とを有する。
【００５０】
発光画素１１１は、第１電源配線１１２及び第２電源配線１１３に接続され、当該発光画素１１１に流れる画素電流ｉｐｉｘに応じた輝度で発光する。複数の発光画素１１１のうち、予め定められた少なくとも一つの発光画素は、検出点Ｍ１でモニタ用配線１９０に接続されている。以降、モニタ用配線１９０に直接接続された発光画素１１１をモニタ用の発光画素１１１Ｍと記載する。モニタ用の発光画素１１１Ｍは、有機ＥＬ表示部１１０の中央付近に配置されている。なお、中央付近とは、中央とその周辺部とを含む。
【００５１】
第１電源配線１１２は、網目状に形成された第１の電源線であり、可変電圧源１８０で出力された高電位側の電位に対応した電位が印加される。一方、第２電源配線１１３は、有機ＥＬ表示部１１０にベタ膜状に形成された第２の電源線であり、有機ＥＬ表示部１１０の周縁部から可変電圧源１８０で出力された低電位側の電位に対応した電位が印加される。図２においては、第１電源配線１１２及び第２電源配線１１３の抵抗成分を示すために、第１電源配線１１２及び第２電源配線１１３を模式的にメッシュ状に図示している。なお、第２電源配線１１３は、例えばグランド線であり、有機ＥＬ表示部１１０の周縁部で表示装置５０の共通接地電位に接地されていてもよい。
【００５２】
第１電源配線１１２には、水平方向の第１電源配線抵抗Ｒ１ｈと垂直方向の第１電源配線抵抗Ｒ１ｖが存在する。第２電源配線１１３には、水平方向の第２電源配線抵抗Ｒ２ｈと垂直方向の第２電源配線抵抗Ｒ２ｖとが存在する。なお、図示されていないが、発光画素１１１は、書込走査駆動回路１３０及びデータ線駆動回路１２０に接続され、発光画素１１１を発光及び消光するタイミングを制御するための走査線と、発光画素１１１の発光輝度に対応する信号電圧を供給するためのデータ線とも接続されている。
【００５３】
図３は、モニタ用の発光画素１１１Ｍの具体的な構成の一例を示す回路図である。
【００５４】
同図に示す発光画素１１１は、駆動素子と発光素子とを含み、駆動素子は、ソース電極及びドレイン電極を含み、発光素子は、第１の電極及び第２の電極を含み、当該第１の電極が前記駆動素子のソース電極及びドレイン電極の一方に接続され、ソース電極及びドレイン電極の他方と第２の電極との一方に高電位側の電位が印加され、ソース電極及びドレイン電極の他方と第２の電極との他方に低電位側の電位が印加される。具体的には、発光画素１１１は、有機ＥＬ素子１２１と、データ線１２２と、走査線１２３と、スイッチトランジスタ１２４と、駆動トランジスタ１２５と、保持容量１２６とを有する。この発光画素１１１は、有機ＥＬ表示部１１０に、例えばマトリクス状に配置されている。
【００５５】
有機ＥＬ素子１２１は、本発明の発光素子であって、アノードが駆動トランジスタ１２５のドレインに接続され、カソードが第２電源配線１１３に接続され、アノードとカソードとの間に流れる電流値に応じた輝度で発光する。この有機ＥＬ素子１２１のカソード側の電極は、複数の発光画素１１１に共通して設けられた共通電極の一部を構成しており、該共通電極は、その周縁部から電位が印加されるように、可変電圧源１８０と電気的に接続されている。つまり、共通電極が有機ＥＬ表示部１１０における第２電源配線１１３として機能する。また、カソード側の電極は、金属酸化物からなる透明導電性材料で形成されている。なお、有機ＥＬ素子１２１のアノード側の電極は本発明の第１の電極であり、有機ＥＬ素子１２１のカソード側の電極は本発明の第２の電極である。
【００５６】
データ線１２２は、データ線駆動回路１２０と、スイッチトランジスタ１２４のソース及びドレインの一方に接続され、データ線駆動回路１２０により映像データに対応する信号電圧が印加される。
【００５７】
走査線１２３は、書込走査駆動回路１３０と、スイッチトランジスタ１２４のゲートに接続され、書込走査駆動回路１３０により印加される電圧に応じて、スイッチトランジスタ１２４をオン及びオフする。
【００５８】
スイッチトランジスタ１２４は、ソース及びドレインの一方がデータ線１２２に接続され、ソース及びドレインの他方が駆動トランジスタ１２５のゲート及び保持容量１２６の一端に接続された、例えば、Ｐ型薄膜トランジスタ（ＴＦＴ）である。
【００５９】
駆動トランジスタ１２５は、本発明の駆動素子であって、ソースが第１電源配線１１２に接続され、ドレインが有機ＥＬ素子１２１のアノードに接続され、ゲートが保持容量１２６の一端及びスイッチトランジスタ１２４のソース及びドレインの他方に接続された、例えば、Ｐ型ＴＦＴである。これにより、駆動トランジスタ１２５は、保持容量１２６に保持された電圧に応じた電流を有機ＥＬ素子１２１に供給する。また、モニタ用の発光画素１１１Ｍにおいて、駆動トランジスタ１２５のソースは、モニタ用配線１９０と接続されている。
【００６０】
保持容量１２６は、一端がスイッチトランジスタ１２４のソース及びドレインの他方に接続され、他端が第１電源配線１１２に接続され、スイッチトランジスタ１２４がオフされたときの第１電源配線１１２の電位と駆動トランジスタ１２５のゲートの電位との電位差を保持する。つまり、信号電圧に対応する電圧を保持する。
【００６１】
データ線駆動回路１２０は、映像データに対応する信号電圧を、データ線１２２を介して発光画素１１１に出力する。
【００６２】
書込走査駆動回路１３０は、複数の走査線１２３に走査信号を出力することで、複数の発光画素１１１を順に走査する。具体的には、スイッチトランジスタ１２４を行単位でオン及びオフする。これにより、書込走査駆動回路１３０により選択されている行の複数の発光画素１１１に、複数のデータ線１２２に出力された信号電圧が印加される。よって、発光画素１１１が映像データに応じた輝度で発光する。
【００６３】
制御回路１４０は、データ線駆動回路１２０及び書込走査駆動回路１３０のそれぞれに、駆動タイミングを指示する。
【００６４】
信号処理回路１６５は、入力された映像データに対応する信号電圧をデータ線駆動回路１２０へ出力する。
【００６５】
電位差検出回路１７０は、本実施の形態における本発明の電圧測定部であって、モニタ用の発光画素１１１Ｍについて、モニタ用の発光画素１１１Ｍに印加される高電位側の電位を測定する。具体的には、電位差検出回路１７０は、モニタ用の発光画素１１１Ｍに印加される高電位側の電位を、モニタ用配線１９０を介して測定する。つまり、検出点Ｍ１の電位を測定する。さらに、電位差検出回路１７０は、可変電圧源１８０の高電位側の出力電位を測定し、測定したモニタ用の発光画素１１１Ｍに印加される高電位側の電位と可変電圧源１８０の高電位側の出力電位との電位差ΔＶを測定する。そして、測定した電位差ΔＶを電圧マージン設定部１７５へ出力する。
【００６６】
電圧マージン設定部１７５は、本実施の形態における本発明の電圧調整部であって、ピーク階調での（ＶＥＬ＋ＶＴＦＴ）電圧と、電位差検出回路１７０で検出された電位差ΔＶとから、モニタ用の発光画素１１１Ｍの電位を所定の電位にするように可変電圧源１８０を調整する。具体的には、電圧マージン設定部１７５は、電位差検出回路１７０で検出された電位差を元に、電圧マージンＶｄｒｏｐを求める。そして、ピーク階調での（ＶＥＬ＋ＶＴＦＴ）電圧と、電圧マージンＶｄｒｏｐとを合計し、合計結果のＶＥＬ＋ＶＴＦＴ＋Ｖｄｒｏｐを第１基準電圧Ｖｒｅｆ１Ａの電圧として可変電圧源１８０に出力する。
【００６７】
可変電圧源１８０は、本実施の形態における本発明の電源供給部であって、高電位側の電位及び低電位側の電位を有機ＥＬ表示部１１０に出力する。この可変電圧源１８０は、電圧マージン設定部１７５から出力される第１基準電圧Ｖｒｅｆ１Ａにより、モニタ用の発光画素１１１Ｍの高電位側の電位が所定の電位（ＶＥＬ＋ＶＴＦＴ）となるような出力電圧Ｖｏｕｔを出力する。
【００６８】
モニタ用配線１９０は、一端がモニタ用の発光画素１１１Ｍに接続され、他端が電位差検出回路１７０に接続され、有機ＥＬ表示部１１０のマトリクスの行方向または列方向に沿って配置された、モニタ用の発光画素１１１Ｍに印加される高電位側の電位を伝達する検出線である。
【００６９】
次に、この可変電圧源１８０の詳細な構成について簡単に説明する。
【００７０】
図４は、実施の形態１に係る可変電圧源の具体的な構成の一例を示すブロック図である。なお、同図には可変電圧源に接続されている有機ＥＬ表示部１１０及び電圧マージン設定部１７５も示されている。
【００７１】
同図に示す可変電圧源１８０は、比較回路１８１と、ＰＷＭ（Ｐｕｌｓｅ  Ｗｉｄｔｈ  Ｍｏｄｕｌａｔｉｏｎ）回路１８２と、ドライブ回路１８３と、スイッチング素子ＳＷと、ダイオードＤと、インダクタＬと、コンデンサＣと、出力端子１８４とを有し、入力電圧Ｖｉｎを第１基準電圧Ｖｒｅｆ１に応じた出力電圧Ｖｏｕｔに変換し、出力端子１８４から出力電圧Ｖｏｕｔを出力する。なお、図示していないが、入力電圧Ｖｉｎが入力される入力端子の前段には、ＡＣ−ＤＣ変換器が挿入され、例えば、ＡＣ１００ＶからＤＣ２０Ｖへの変換が済んでいるものとする。
【００７２】
比較回路１８１は、出力検出部１８５及び誤差増幅器１８６を有し、出力電圧Ｖｏｕｔと第１基準電圧Ｖｒｅｆ１との差分に応じた電圧をＰＷＭ回路１８２に出力する。
【００７３】
出力検出部１８５は、出力端子１８４と、接地電位との間に挿入された２つの抵抗Ｒ１及びＲ２を有し、出力電圧Ｖｏｕｔを抵抗Ｒ１及びＲ２の抵抗比に応じて分圧し、分圧された出力電圧Ｖｏｕｔを誤差増幅器１８６へ出力する。
【００７４】
誤差増幅器１８６は、出力検出部１８５で分圧されたＶｏｕｔと、電圧マージン設定部１７５から出力された第１基準電圧Ｖｒｅｆ１Ａとを比較し、その比較結果に応じた電圧をＰＷＭ回路１８２へ出力する。具体的には、誤差増幅器１８６は、オペアンプ１８７と、抵抗Ｒ３及びＲ４とを有する。オペアンプ１８７は、反転入力端子が抵抗Ｒ３を介して出力検出部１８５に接続され、非反転入力端子が電圧マージン設定部１７５に接続され、出力端子がＰＷＭ回路１８２と接続されている。また、オペアンプ１８７の出力端子は、抵抗Ｒ４を介して反転入力端子と接続されている。これにより、誤差増幅器１８６は、出力検出部１８５から入力された電圧と電圧マージン設定部１７５から入力された第１基準電圧Ｖｒｅｆ１Ａとの電位差に応じた電圧をＰＷＭ回路１８２へ出力する。言い換えると、出力電圧Ｖｏｕｔと第１基準電圧Ｖｒｅｆ１Ａとの電位差に応じた電圧をＰＷＭ回路１８２へ出力する。
【００７５】
ＰＷＭ回路１８２は、比較回路１８１から出力された電圧に応じてデューティの異なるパルス波形をドライブ回路１８３に出力する。具体的には、ＰＷＭ回路１８２は、比較回路１８１から出力された電圧が大きい場合オンデューティの長いパルス波形を出力し、出力された電圧が小さい場合オンデューティの短いパルス波形を出力する。言い換えると、出力電圧Ｖｏｕｔと第１基準電圧Ｖｒｅｆ１Ａとの電位差が大きい場合オンデューティの長いパルス波形を出力し、出力電圧Ｖｏｕｔと第１基準電圧Ｖｒｅｆ１Ａとの電位差が小さい場合オンデューティの短いパルス波形を出力する。なお、パルス波形のオンの期間とは、パルス波形がアクティブの期間である。
【００７６】
ドライブ回路１８３は、ＰＷＭ回路１８２から出力されたパルス波形がアクティブの期間にスイッチング素子ＳＷをオンし、ＰＷＭ回路１８２から出力されたパルス波形が非アクティブの期間にスイッチング素子ＳＷをオフする。
【００７７】
スイッチング素子ＳＷは、ドライブ回路１８３によりオン及びオフする。スイッチング素子ＳＷがオンの間だけ、入力電圧ＶｉｎがインダクタＬ及びコンデンサＣを介して、出力端子１８４に出力電圧Ｖｏｕｔとして出力される。よって、出力電圧Ｖｏｕｔは０Ｖから徐々に２０Ｖ（Ｖｉｎ）に近づいていく。この時、インダクタＬ及びコンデンサＣに充電がなされる。インダクタＬの両端には電圧が印加されている（充電されている）ので、その分だけ出力電圧Ｖｏｕｔは入力電圧Ｖｉｎより低い電位となる。
【００７８】
出力電圧Ｖｏｕｔが第１基準電圧Ｖｒｅｆ１Ａに近づくにつれて、ＰＷＭ回路１８２に入力される電圧は小さくなり、ＰＷＭ回路１８２が出力するパルス信号のオンデューティは短くなる。
【００７９】
するとスイッチング素子ＳＷがオンする時間も短くなり、出力電圧Ｖｏｕｔは緩やかに第１基準電圧Ｖｒｅｆ１Ａに収束してゆく。
【００８０】
最終的に、Ｖｏｕｔ＝Ｖｒｅｆ１Ａ付近の電位でわずかに電圧変動しながら出力電圧Ｖｏｕｔの電位が確定する。
【００８１】
このように、可変電圧源１８０は、電圧マージン設定部１７５から出力された第１基準電圧Ｖｒｅｆ１Ａとなるような出力電圧Ｖｏｕｔを生成し、有機ＥＬ表示部１１０へ供給する。
【００８２】
次に、上述した表示装置５０の動作について図５〜図７を用いて説明する。
【００８３】
図５は、本発明の表示装置１００の動作を示すフローチャートである。
【００８４】
まず、電圧マージン設定部１７５は、予め設定された、ピーク階調に対応する（ＶＥＬ＋ＶＴＦＴ）電圧をメモリから読み出す（Ｓ１０）。具体的には、電圧マージン設定部１７５は、各色のピーク階調に対応するＶＴＦＴ＋ＶＥＬの必要電圧を示す必要電圧換算テーブルを用いて各色の階調に対応するＶＴＦＴ＋ＶＥＬを決定する。
【００８５】
図６は、電圧マージン設定部１７５が参照する必要電圧換算テーブルの一例を示す図である。同図に示すように、必要電圧換算テーブルにはピーク階調（２５５階調）に対応するＶＴＦＴ＋ＶＥＬの必要電圧が格納されている。例えば、Ｒのピーク階調での必要電圧は１１．２Ｖ、Ｇのピーク階調での必要電圧は１２．２Ｖ、Ｂのピーク階調での必要電圧は８．４Ｖとなる。各色のピーク階調での必要電圧のうち、最大の電圧はＧの１２．２Ｖである。よって、電圧マージン設定部１７５は、ＶＴＦＴ＋ＶＥＬを１２．２Ｖと決定する。
【００８６】
一方、電位差検出回路１７０は、検出点Ｍ１の電位を、モニタ用配線１９０を介して検出する（ステップＳ１４）。
【００８７】
次に、電位差検出回路１７０は、可変電圧源１８０の出力端子１８４の電位と、検出点Ｍ１の電位との電位差ΔＶを検出する（ステップＳ１５）。そして、検出した電位差ΔＶを電圧マージン設定部１７５へ出力する。なお、ここまでのステップＳ１０〜Ｓ１５は、本発明の電位測定処理に相当する。
【００８８】
次に、電圧マージン設定部１７５は、電位差検出回路１７０から出力された電位差信号から、電位差検出回路１７０が検出した電位差ΔＶに対応する電圧マージンＶｄｒｏｐを決定する（ステップＳ１６）。具体的には、電圧マージン設定部１７５は、電位差ΔＶに対応する電圧マージンＶｄｒｏｐを示す電圧マージン換算テーブルを有する。
【００８９】
図７は、電圧マージン設定部１７５が参照する電圧マージン換算テーブルの一例を示す図である。同図に示すように、電圧マージン換算テーブルには、電位差ΔＶに対応する電圧マージンＶｄｒｏｐが格納されている。例えば、電位差ΔＶが３．４Ｖの場合、電圧マージンＶｄｒｏｐは３．４Ｖである。よって、電圧マージン設定部１７５は、電圧マージンＶｄｒｏｐを３．４Ｖと決定する。
【００９０】
ところで、電圧マージン換算テーブルに示すように、電位差ΔＶと電圧マージンＶｄｒｏｐとは増加関数の関係となっている。また、可変電圧源１８０の出力電圧Ｖｏｕｔは電圧マージンＶｄｒｏｐが大きいほど高くなる。つまり、電位差ΔＶと出力電圧Ｖｏｕｔとは増加関数の関係となっている。
【００９１】
次に、電圧マージン設定部１７５は、次のフレーム期間に可変電圧源１８０に出力させる出力電圧Ｖｏｕｔを決定する（ステップＳ１７）。具体的には、次のフレーム期間に可変電圧源１８０に出力させる出力電圧Ｖｏｕｔを、有機ＥＬ素子１２１と駆動トランジスタ１２５に必要な電圧の決定（ステップＳ１３）で決定されたＶＴＦＴ＋ＶＥＬと電位差ΔＶに対応する電圧マージンの決定（ステップＳ１５）で決定された電圧マージンＶｄｒｏｐとの合計値であるＶＴＦＴ＋ＶＥＬ＋Ｖｄｒｏｐとする。
【００９２】
最後に、電圧マージン設定部１７５は、次のフレーム期間の最初に、第１基準電圧Ｖｒｅｆ１ＡをＶＴＦＴ＋ＶＥＬ＋Ｖｄｒｏｐとすることにより、可変電圧源１８０を調整する（ステップＳ１８）。これにより、次のフレーム期間において、可変電圧源１８０は、Ｖｏｕｔ＝ＶＴＦＴ＋ＶＥＬ＋Ｖｄｒｏｐとして、有機ＥＬ表示部１１０へ供給する。なお、ステップＳ１６〜ステップＳ１８は、本発明の電圧調整処理に相当する。
【００９３】
このように、本実施の形態に係る表示装置５０は、高電位側の電位及び低電位側の電位を出力する可変電圧源１８０と、有機ＥＬ表示部１１０における、モニタ用の発光画素１１１Ｍについて、当該モニタ用の発光画素１１１Ｍに印加される高電位側の電位、及び、可変電圧源１８０の高電位側の出力電圧Ｖｏｕｔを測定する電位差検出回路１７０と、電位差検出回路１７０で測定されたモニタ用の発光画素１１１Ｍに印加される高電位側の電位を所定の電位（ＶＴＦＴ＋ＶＥＬ）にするように可変電圧源１８０を調整する電圧マージン設定部１７５とを含む。また、電位差検出回路１７０は、さらに、可変電圧源１８０の高電位側の出力電圧Ｖｏｕｔを測定し、測定した高電位側の出力電圧Ｖｏｕｔと、モニタ用の発光画素１１１Ｍに印加される高電位側の電位との電位差を検出し、電圧マージン設定部１７５は、電位差検出回路１７０で検出された電位差に応じて可変電圧源を調整する。
【００９４】
これにより、表示装置５０は、水平方向の第１電源配線抵抗Ｒ１ｈ及び垂直方向の第１電源配線抵抗Ｒ１ｖによる電圧降下を検出し、その電圧降下の程度を可変電圧源１８０にフィードバックすることで、余分な電圧を減らし、消費電力を削減することができる。
【００９５】
また、表示装置５０は、モニタ用の発光画素１１１Ｍが有機ＥＬ表示部１１０の中央付近に配置されていることにより、有機ＥＬ表示部１１０が大型化した場合にも、可変電圧源１８０の出力電圧Ｖｏｕｔを簡便に調整できる。
【００９６】
また、消費電力を削減することにより有機ＥＬ素子１２１の発熱が抑えられるので、有機ＥＬ素子１２１の劣化を防止できる。
【００９７】
次に、上述の表示装置５０において、第Ｎフレーム以前と第Ｎ＋１フレーム以降とで、入力される映像データが変わる場合の表示パターンの変遷について、図８及び図９を用いて説明する。
【００９８】
最初に、第Ｎフレーム及び第Ｎ＋１フレームに入力されたと想定する映像データについて説明する。
【００９９】
まず、第Ｎフレーム以前において、有機ＥＬ表示部１１０の中心部に対応する映像データは、有機ＥＬ表示部１１０の中心部が白く見えるようなピーク階調（Ｒ：Ｇ：Ｂ＝２５５：２５５：２５５）とする。一方、有機ＥＬ表示部１１０の中心部以外に対応する映像データは、有機ＥＬ表示部１１０の中心部以外がグレーに見えるようなグレー階調（Ｒ：Ｇ：Ｂ＝５０：５０：５０）とする。
【０１００】
また、第Ｎ＋１フレーム以降において、有機ＥＬ表示部１１０の中心部に対応する映像データは、第Ｎフレームと同様にピーク階調（Ｒ：Ｇ：Ｂ＝２５５：２５５：２５５）とする。一方、有機ＥＬ表示部１１０の中心部以外に対応する映像データは、第Ｎフレームよりも明るいグレーに見えるようなグレー階調（Ｒ：Ｇ：Ｂ＝１５０：１５０：１５０）とする。
【０１０１】
次に、第Ｎフレーム及び第Ｎ＋１フレームに上述のような映像データが入力された場合の、表示装置５０の動作について説明する。
【０１０２】
図８は、第Ｎフレーム〜第Ｎ＋２フレームにおける、実施の形態１に係る表示装置５０の動作を示すタイミングチャートである。
【０１０３】
同図には、電位差検出回路１７０で検出された電位差ΔＶと、可変電圧源１８０からの出力電圧Ｖｏｕｔと、モニタ用の発光画素１１１Ｍの画素輝度とが示されている。また、各フレーム期間の最後には、ブランキング期間が設けられている。
【０１０４】
図９は、有機ＥＬ表示部に表示される画像を模式的に示す図である。
【０１０５】
時間ｔ＝Ｔ１０において、信号処理回路１６５は第Ｎフレームの映像データを入力する。電圧マージン設定部１７５は、必要電圧換算テーブルを用いてＧのピーク階調での必要電圧１２．２Ｖを（ＶＴＦＴ＋ＶＥＬ）電圧と設定する。
【０１０６】
一方、このとき電位差検出回路１７０は、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１０においてΔＶ＝１Ｖを検出する。そして、電圧マージン換算テーブルを用いて、第Ｎ＋１フレームの電圧マージンＶｄｒｏｐを１Ｖと決定する。
【０１０７】
時間ｔ＝Ｔ１０〜Ｔ１１は第Ｎフレームのブランキング期間であり、この期間において有機ＥＬ表示部１１０には、時間ｔ＝Ｔ１０と同じ画像が表示される。
【０１０８】
図９（ａ）は、時間ｔ＝Ｔ１０〜Ｔ１１において、有機ＥＬ表示部１１０に表示される画像を模式的に示す図である。この期間において、有機ＥＬ表示部１１０に表示される画像は、第Ｎフレームの映像データに対応して、中心部が白く、中心部以外がグレーとなっている。
【０１０９】
時間ｔ＝Ｔ１１において、電圧マージン設定部１７５は、第１基準電圧Ｖｒｅｆ１Ａの電圧を、上記（ＶＴＦＴ＋ＶＥＬ）電圧と、電圧マージンＶｄｒｏｐとの合計ＶＴＦＴ＋ＶＥＬ＋Ｖｄｒｏｐ（例えば、１３．２Ｖ）とする。
【０１１０】
時間ｔ＝Ｔ１１〜Ｔ１６にかけて、有機ＥＬ表示部１１０には、第Ｎ＋１フレームの映像データに対応する画像が順に表示されていく（図９（ｂ）〜図９（ｆ））。このとき、可変電圧源１８０からの出力電圧Ｖｏｕｔは、常に、時間ｔ＝Ｔ１１で第１基準電圧Ｖｒｅｆ１Ａの電圧に設定したＶＴＦＴ＋ＶＥＬ＋Ｖｄｒｏｐとなっている。しかしながら、第Ｎ＋１フレームでは、有機ＥＬ表示部１１０の中心部以外に対応する映像データは、第Ｎフレームよりも明るいグレーに見えるようなグレー階調である。よって、可変電圧源１８０から有機ＥＬ表示部１１０に供給する電流量は、時間ｔ＝Ｔ１１〜Ｔ１６にかけて徐々に増加し、この電流量の増加に伴い第１電源配線１１２の電圧降下が徐々に大きくなる。これにより、明るく表示されている領域の発光画素１１１である、有機ＥＬ表示部１１０の中心部の発光画素１１１の電源電圧が不足する。言い換えると、第Ｎ＋１フレームの映像データＲ：Ｇ：Ｂ＝２５５：２５５：２５５に対応する画像よりも輝度が低下する。つまり、時間ｔ＝Ｔ１１〜Ｔ１６にかけて、有機ＥＬ表示部１１０の中心部の発光画素１１１の発光輝度は徐々に低下する。
【０１１１】
次に、時間ｔ＝Ｔ１６において、信号処理回路１６５は第Ｎ＋１フレームの映像データを入力する。電圧マージン設定部１７５は、必要電圧換算テーブルを用いて、Ｇのピーク階調での必要電圧１２．２Ｖを、継続して（ＶＴＦＴ＋ＶＥＬ）電圧と設定する。
【０１１２】
一方、このとき電位差検出回路１７０は、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１６においてΔＶ＝３Ｖを検出する。そして、電圧マージン換算テーブルを用いて、第Ｎ＋１フレームの電圧マージンＶｄｒｏｐを３Ｖと決定する。
【０１１３】
次に、時間ｔ＝Ｔ１７において、電圧マージン設定部１７５は、第１基準電圧Ｖｒｅｆ１Ａの電圧を、上記（ＶＴＦＴ＋ＶＥＬ）電圧と、電圧マージンＶｄｒｏｐとの合計ＶＴＦＴ＋ＶＥＬ＋Ｖｄｒｏｐ（例えば、１５．２Ｖ）とする。よって、時間ｔ＝Ｔ１７以降、検出点Ｍ１の電位は、所定の電位であるＶＴＦＴ＋ＶＥＬとなる。
【０１１４】
このように、表示装置５０は、第Ｎ＋１フレームにおいて、一時的に輝度が低下するが、非常に短い期間であり、ユーザにとってほとんど影響はない。
【０１１５】
次に、本発明の特徴である、有機ＥＬ表示部１１０におけるモニタ用配線１９０の配線レイアウトについて説明する。
【０１１６】
まず、モニタ用配線が配置されていない従来の表示装置における各配線の配線レイアウトを示す。
【０１１７】
図１０は、従来の表示装置における有機ＥＬ表示部の配線レイアウト図である。同図には、有機ＥＬ表示部の上面から見た透視図が描かれている。マトリクス状に配置された複数の発光画素１１１の間に、データ線１２２が画素列ごとに配置され、走査線１２３が画素行ごとに配置され、第１電源配線１１２及び基準電位線が画素列ごとに、かつ、画素行ごとに配置されている。なお、図３に記載された発光画素の回路図では、基準電位線が配置されていないが、保持容量１２６の電極等に基準電位を与えるための基準電位線が別途配置される場合がある。ここでは、基準電位線に代表される制御線が画素回路として配置されているものとして説明する。
【０１１８】
第１電源配線１１２は、図２の模式図では、同一平面上において格子状に配置されているが、図１０の配線レイアウト図では、第１層には第１メタルとして行方向に配置され、第１層とは別層の第２層には第２メタルとして列方向に配置されている。第１電源配線１１２の行方向配線と列方向配線とは層間の絶縁膜を貫通するコンタクトプラグで電気接続されている。
【０１１９】
基準電位線も、第１電源配線１１２と同じく、行方向配線と列方向配線とが別層で配置されており、両配線はコンタクトプラグにて電気接続されている。
【０１２０】
第１電源配線１１２及び基準電位線は、上記２層構造の配置により、図２に記載された格子状の配置を実現している。
【０１２１】
図１１は、モニタ用配線を挿入した有機ＥＬ表示部の配線レイアウト図である。同図の配線レイアウトに描かれているように、モニタ用の発光画素１１１Ｍの高電位側の電位を検出するため、検出点Ｍ１から、図面下方向にモニタ用配線が新たに配置されている。このため、モニタ用配線を設けた箇所ではスペースの都合上、画素回路（モニタ用の発光画素１１１Ｍ及びその隣接する（図面下方向の）発光画素）が他の部分と比較して不規則な形状を取らざるを得なくなる。これにより、画素容量が標準条件より少なくなる、トランジスタのサイズが小さくなる、寄生容量が増加する、などの悪影響が考えられる。そのため、モニタ用配線に沿って有機ＥＬ表示部に暗線あるいは明線が生じる不具合が出ることが予想される。
【０１２２】
特に、モニタ用配線が画素配列に沿わない場合、例えば、画素が行列に配置されているのに対して、モニタ用配線が斜めに配線されているなどの場合には、画素配列の周期性が大きく乱れるので、表示上の不具合がより強調されてしまう。
【０１２３】
上述したモニタ用配線による表示上の不具合の具体的原因としては、（１）平面構造が変わる、（２）光学距離が変わる（膜厚等が変わる）、（３）画素回路の電気的特性が変わる、ことにより輝度がずれることが考えられる。本発明の表示装置は、上記具体的原因を克服してモニタ用配線を配置している。以下、本発明の表示装置におけるモニタ用配線の配線レイアウトについて説明する。
【０１２４】
図１２は、本発明の実施の形態１に係る有機ＥＬ表示部の配線レイアウト図である。同図に描かれた配線レイアウトでは、列方向に配置された基準電位線の一部を領域Ａ１で切り取って、モニタ用配線１０Ａに転用している。この切り離し点である領域Ａ１から図面上側は、基準電位線として使用され、図面下側はモニタ用配線１０Ａとして使用される。モニタ用配線１０Ａは、領域Ａ１で、隣接する第１電源配線１１２と接続される。さらに、モニタ用配線１０Ａは、検出対象の第１電源配線１１２以外とは切り離されていなければならないので、他の基準電位線とショートしないように、領域Ｂ１及び領域Ｃ１におけるコンタクトが除去されている。つまり、モニタ用配線１０Ａは、第１電源配線１１２と同一の層に形成され、モニタ用配線１０Ａと隣接する基準電位線との間隔は、隣り合う基準電位線どうしの間隔と同一となるように配置される。この配置構成により、領域Ａ１における第１電源配線１１２の電位が測定され、モニタ用の発光画素１１１Ｍに印加される高電位側の電位が電位差検出回路１７０に伝達される。
【０１２５】
また、基準電位線は上述した２層構造により格子状に二次元配置されているので、例えば、列方向に配置された基準電位線のうち数列をモニタ用配線として転用しても、モニタ用の発光画素には行方向に配置された基準電位線を介して基準電位が供給される。よって、基準電位線を一部モニタ用配線１０Ａとして転用したことによる表示品質への影響は小さい。
【０１２６】
この配線レイアウトによれば、モニタ用の発光画素を配置したことで、発光画素の画素ピッチや配線幅といった規則的パターンは変わらないので、表示上の違和感がなくなり境界が視認されにくい。また、モニタ用配線１０Ａは、基準電位線と同一の工程によって形成されたものであり、上記規則的パターンが維持されるので、表示パネルの製造プロセスも複雑化されない。また、設計上は既存の配線からの転用なので、新規にモニタ用配線を配置する必要が無く、設計変更が簡略化及び簡素化できる。
【０１２７】
図１３は、本発明の実施の形態１の第１の変形例を示す有機ＥＬ表示部の配線レイアウト図である。同図に記載された本発明の配線レイアウトは、ほぼ全ての画素回路に存在する電源配線の一部をモニタ用配線１０Ｂとして転用するものである。マトリクス状に配置された複数の発光画素１１１の間に、データ線１２２が画素列ごとに配置され、走査線１２３が画素行ごとび配置され、第１電源配線１１２が画素列ごとに、かつ、画素行ごとに配置されている。
【０１２８】
図１３の配線レイアウトのように、二次元配線の行方向と列方向とで第１電源配線１１２の配線層が異なる場合は、転用したモニタ用配線１０Ｂにおいて、行方向と列方向との配線同士がショートしないように領域Ｂ２及び領域Ｃ２にてコンタクトを除去すればよい。つまり、モニタ用配線１０Ｂは、第１電源配線１１２と同一の層に形成されている。この配線レイアウトによれば、第１電源配線１１２の明確な切り離し点は存在しない。この配置構成により、領域Ａ２における第１電源配線１１２の電位が測定され、モニタ用の発光画素１１１Ｍに印加される高電位側の電位が電位差検出回路１７０に伝達される。
【０１２９】
この配線レイアウトによれば、モニタ用の発光画素を配置したことで、発光画素の画素ピッチや配線幅といった規則的パターンは変わらないので、表示上の違和感がなくなり境界が視認されにくい。また、モニタ用配線１０Ｂは、第１電源配線１１２と同一の工程によって形成されたものであり、上記規則的パターンが維持されることで、表示パネルの製造プロセスも複雑化されない。また、設計上は既存の配線からの転用なので、新規にモニタ線を配置する必要が無く、設計変更が簡略化及び簡素化できる。また、電源線は、ほぼ全ての画素回路に存在するので、回路構成に依存せずに上記配線レイアウトを実現することができる。
【０１３０】
図１４は、本発明の実施の形態１の第２の変形例を示す有機ＥＬ表示部の配線レイアウト図である。同図に記載された本発明の配線レイアウトは、モニタ用の発光画素に印加される低電位側の電位を検出するものであり、単層内に二次元配置された低電位側の電源配線の一部をモニタ用配線１０Ｃとして転用するものである。マトリクス状に配置された複数の発光画素１１１（Ｒ画素、Ｇ画素、Ｂ画素）の間に、補助電極線が格子状に配置されている。補助電極線は、第２電源配線１１３に電気的に接続されている。ここでは、第２電源配線１１３は、ベタ膜形成された透明電極（陰極）である。補助電極線は、ＩＴＯ等に代表される、電極材料としては抵抗率の高い材料からなる第２電源配線１１３の電位を補強する機能を有する。また、図１４に示された断面図のように、本変形例に係る有機ＥＬ表示部は、駆動トランジスタ、スイッチトランジスタ及び保持容量などで構成される駆動回路層と、有機ＥＬ素子を構成する発光層との積層構造となっており、陰極である透明電極側へ向けて出射される、いわゆるトップエミッション型構造を例示している。駆動回路層と発光層とは、絶縁層である平坦化膜を介して積層されており、当該絶縁層内に形成されたコンタクトプラグにより電気接続されている。また、第１電源配線１１２は、駆動回路層内に形成されている。
【０１３１】
上記構造において、二次元配線の行方向と列方向とで配線層が同層である配線をモニタ用配線１０Ｃとして転用する場合は、例えば、検出点より図面上側の補助電極線と、検出点より図面下側とは領域Ａ３にて切り離しておく。また、モニタ用配線１０Ｃとして転用した部分と本来の補助電極線とがショートしないように、領域Ｂ３及び領域Ｃ３にて、行方向あるいは列方向の接続箇所を切断された状態にしておく。つまり、モニタ用配線１０Ｃは、補助電極線と同一の層に形成され、モニタ用配線１０Ｃとモニタ用配線１０Ｃに隣り合う補助電極線との間隔は、隣り合う補助電極線どうしの間隔と同一となるように配置されている。また、図示していないが、第１の電極である陽極とモニタ用配線１０Ｃとの間には絶縁層である平坦化膜が形成されており、モニタ用配線１０Ｃは、当該陽極と同一の層に形成されている。この配置構成により、領域Ａ３における第２電源配線１１３の電位が測定され、モニタ用の発光画素１１１Ｍに印加される低電位側の電位が電位差検出回路１７０に伝達される。
【０１３２】
この配線レイアウトによれば、モニタ用の発光画素を配置したことで、発光画素の画素ピッチや配線幅といった規則的パターンは変わらないので、表示上の違和感がなくなり境界が視認されにくい。また、モニタ用配線１０Ｃは、補助電極線と同一の工程によって形成されたものであり、上記規則的パターンが維持されることで、表示パネルの製造プロセスも複雑化されない。また、設計上は既存の配線からの転用なので、新規にモニタ線を配置する必要が無く、設計変更が簡略化及び簡素化できる。
【０１３３】
なお、透明電極が全面に共通で配置されている場合は、補助電極線は一次元配線であっても、本配線レイアウトを適用することが可能である。これは、透明電極が、補助電極線が配線されていない方向においても、電源を供給する役割を果たすことによるものである。
【０１３４】
図１５は、本発明の実施の形態１の第３の変形例を示す有機ＥＬ表示部の配線レイアウト図である。同図に記載された本発明の配線レイアウトは、モニタ用の発光画素に印加される高電位側の電位を検出するものであり、駆動回路層に配置された電源配線に接続されたモニタ用配線１０Ｄを、同じ駆動回路層に配置するものである。図１５に示された断面図のように、本変形例に係る有機ＥＬ表示部は、駆動トランジスタ、スイッチトランジスタ及び保持容量などで構成される駆動回路層と、有機ＥＬ素子を構成する発光層との積層構造となっており、陰極である透明電極側へ向けて出射される、いわゆるトップエミッション型構造を例示している。駆動回路層と発光層とは、絶縁層である平坦化膜を介して積層されており、当該絶縁層内に形成されたコンタクトプラグにより電気接続されている。また、第１電源配線１１２は、駆動回路層内に形成されている。
【０１３５】
上記構造において、第１電源配線１１２とモニタ用配線１０Ｄとを同じ駆動回路層に配置する。モニタ用配線１０Ｄは、駆動回路層内において、第１電源配線１１２と検出点Ｍ１にて接続される。このとき、モニタ用配線１０Ｄと第１電源配線１１２とは同層であり、膜厚もほぼ同じである。そうすると、その上の反射電極である陽極の平坦度、または、対向基板からの距離は、モニタ用配線１０Ｄ上の画素と第１電源配線１１２上の画素とでほぼ変わらないことになる。つまり、対向基板面からの反射電極の距離は、全発光画素にわたりほぼ同等とみなせるので、光路長の違いによる発光波長のズレが発生しにくく、モニタ用配線１０Ｄを配置したことによる境界は視認されにくい。この配置構成により、検出点Ｍ１における第１電源配線１１２の電位が測定され、モニタ用の発光画素１１１Ｍに印加される高電位側の電位が電位差検出回路１７０に伝達される。
【０１３６】
この配線レイアウトによれば、モニタ用の発光画素を配置したことで、発光画素の光学距離に影響は変わらないので、表示上の違和感がなくなり境界が視認されにくい。
【０１３７】
図１６は、本発明の実施の形態１の第４の変形例を示す有機ＥＬ表示部の配線レイアウト図である。同図に記載された本発明の配線レイアウトは、モニタ用の発光画素に印加される低電位側の電位を検出するものであり、第２電源配線１１３である透明電極に接続されたモニタ用配線１０Ｅを、第２電源配線１１３とは別層の駆動回路層に配置するものである。マトリクス状に配置された複数の発光画素１１１（Ｒ画素、Ｇ画素、Ｂ画素）が配置されている。第２電源配線１１３は、ベタ膜形成された透明陰極である。また、図１６に示された断面図のように、本変形例に係る有機ＥＬ表示部は、駆動トランジスタ、スイッチトランジスタ及び保持容量などで構成される駆動回路層と、有機ＥＬ素子を構成する発光層との積層構造となっており、陰極である透明電極側へ向けて出射される、いわゆるトップエミッション型構造を例示している。駆動回路層と発光層とは、絶縁層である平坦化膜を介して積層されており、当該絶縁層内に形成されたコンタクトプラグにより電気接続されている。また、第１電源配線１１２は、駆動回路層内に形成されている。
【０１３８】
上記構造において、透明電極側に図１４に示されたような補助電極線が設置されていない場合（つまり、透明電極だけの場合）、発光層にモニタ用配線を引くと明らかに規則性が乱れ境界が視認される。
【０１３９】
よって、本変形例に係る配線レイアウトでは、低電位側（透明電極側）の電位を検出するためのモニタ用配線１０Ｅを、発光層より下層である駆動回路層において配線する。つまり、モニタ用配線１０Ｅは、第１電源配線１１２と同一の層に形成されている。なお、発光層の検出点とモニタ用配線１０Ｅとはコンタクトプラグにて電気接続される。この場合、モニタ用の発光画素１１１Ｍの第１の電極である陽極の一部を切り取って、透明電極（陰極）と反射電極（陽極）とを直接コンタクトさせる。そして、コンタクトさせた反射電極（陽極）の一部を、平坦化膜内に設けられたコンタクトプラグを介して駆動回路層に配置されたモニタ用配線１０Ｅと接続する。つまり、モニタ用配線１０Ｅの一端は、コンタクトプラグ及び反射電極を介して透明電極（陰極）と接続されている。そうすると、モニタ用配線１０Ｅは、反射電極の下層に配線されるので、直接モニタ用配線１０Ｅが眼に触れることは無いので、透明電極上に直接モニタ用配線を配置する場合に比べると、より境界が目立たなくなる。
【０１４０】
図１７は、本発明の実施の形態１の第５の変形例を示す有機ＥＬ表示部の配線レイアウト図である。同図に記載された本発明の配線レイアウトは、モニタ用の発光画素に印加される高電位側の電位を検出するものであり、画素回路素子が配置された配線層とは別層において、第１電源配線１１２に接続されたモニタ用配線１０Ｅを配置するものである。図１７に示された断面図のように、本変形例に係る有機ＥＬ表示部は、駆動トランジスタ、スイッチトランジスタ及び保持容量などで構成される駆動回路層と、有機ＥＬ素子を構成する発光層との積層構造となっており、陰極である透明電極側へ向けて出射される、いわゆるトップエミッション型構造を例示している。また、駆動回路層と発光層との間には、モニタ用配線１０Ｆが配置された検出線層が形成されている。駆動回路層と検出線層とは、絶縁層である平坦化膜Ａを介して積層されており、検出線層と発光層とは、絶縁層である平坦化膜Ｂを介して積層されており、当該平坦化膜内に形成されたコンタクトプラグにより電気接続されている。また、第１電源配線１１２は、駆動回路層内に形成されている。つまり、モニタ用配線１０Ｆは、透明電極と反射電極とを含む発光層及び第１電源配線１１２が形成された層と異なる検出線層に形成されており、当該検出線層において、モニタ用配線１０Ｆの配線面積は、モニタ用配線１０Ｆ以外の電気配線の配線面積よりも大きい。
【０１４１】
上記構造において、モニタ用配線１０Ｆは、コンタクトプラグを介して、第１電源配線１１２と検出点にて接続される。このとき、モニタ用配線１０Ｆと第１電源配線１１２とは別層に形成されている。このように、検出線専用の層を増やすことで、任意の場所の電位を検出することが可能となる。これにより、モニタ用配線の配線レイアウトの自由度が高くなり、例えば、高電位側モニタ配線と低電位側モニタ配線とを同じ層に配置することも可能となる。
【０１４２】
また、回路素子が配置されている駆動回路層に検出線を追加すると、モニタ配線の面積分だけ画素容量が小さくなったり、配線幅が細くなったりするため、電圧降下量の増加などを引き起こし易くなり表示品質が多少低下する。これは、検出線を増やすほど顕著になる。これに対し、本変形例のように検出線専用の層を備えることで、駆動回路層内に配置された画素回路には全く影響を与えずに検出線を配置することが可能となる。
【０１４３】
この配線レイアウトによれば、モニタ用配線１０Ｆを発光層及び駆動回路層と別層に配置したことで、発光画素の画素ピッチや配線幅、あるいは、画素回路素子の面積や配線幅といった規則的パターンは変わらないので、表示上の違和感がなくなり境界が視認されにくい。
【０１４４】
上述した実施の形態１及びその第１〜第５の変形例に係る表示装置の配線レイアウトによれば、発光画素の電位を検出するためのモニタ用配線を、従来からのマトリクス状の発光画素配置に変更を加えることなく配置することができる。
【０１４５】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０１４６】
なお、モニタ用配線を配置することにより、発光画素の境界部が線欠陥となって視認され得る場合であっても、有機ＥＬ表示部上においてモニタ用配線の配線長を最短にすることが望ましい。
【０１４７】
図１８は、有機ＥＬ表示部におけるモニタ用配線の配線方向を比較する図である。検出点を、左図に示すように、縦方向にモニタ用配線を配置すると検出線が長くなり、その分線欠陥も目立ちやすくなる場合がある。そこで、右図のように、横方向にモニタ用配線を配置すれば線欠陥が短くなり目立ちにくくなる。つまり、線欠陥を目立ちにくくするため、検出点から周辺の給電部に対して最短距離となる様に、行方向または列方向に沿って（画素配列に沿って）、モニタ用配線を配置することが好ましい。
【０１４８】
（実施の形態２）
本実施の形態に係る表示装置は、実施の形態１に係る表示装置と比較して、可変電圧源へ入力される基準電圧が、電位差検出回路で検出された電位差ΔＶの変化に依存して変化するだけでなく、入力された映像データからフレームごと検出されたピーク信号にも依存して変化する点が異なる。以下、実施の形態１と同じ点は説明を省略し、実施の形態１と異なる点を中心に説明する。また、実施の形態１と重複する図面については、実施の形態１に適用された図面を用いる。
【０１４９】
以下、本発明の実施の形態２について、図を用いて具体的に説明する。
【０１５０】
図１９は、本発明の実施の形態２に係る表示装置の概略構成を示すブロック図である。
【０１５１】
同図に示す表示装置１００は、有機ＥＬ表示部１１０と、データ線駆動回路１２０と、書込走査駆動回路１３０と、制御回路１４０と、ピーク信号検出回路１５０と、信号処理回路１６０と、電位差検出回路１７０と、可変電圧源１８０と、モニタ用配線１９０とを備える。
【０１５２】
有機ＥＬ表示部１１０については、実施の形態１の図２及び図３に記載された構成と同様である。
【０１５３】
ピーク信号検出回路１５０は、表示装置１００に入力された映像データのピーク値を検出し、検出したピーク値を示すピーク信号を信号処理回路１６０へ出力する。具体的には、ピーク信号検出回路１５０は、映像データの中から最も高階調のデータをピーク値として検出する。高階調のデータとは、有機ＥＬ表示部１１０で明るく表示される画像に対応する。
【０１５４】
信号処理回路１６０は、本実施の形態における本発明の電圧調整部であって、ピーク信号検出回路１５０から出力されたピーク信号と、電位差検出回路１７０で検出された電位差ΔＶとから、モニタ用の発光画素１１１Ｍの電位を所定の電位にするように可変電圧源１８０を調整する。具体的には、信号処理回路１６０は、ピーク信号検出回路１５０から出力されたピーク信号で発光画素１１１を発光させた場合に、有機ＥＬ素子１２１と駆動トランジスタ１２５とに必要な電圧を決定する。また、信号処理回路１６０は、電位差検出回路１７０で検出された電位差を元に、電圧マージンを求める。そして、決定した、有機ＥＬ素子１２１に必要な電圧ＶＥＬと、駆動トランジスタ１２５に必要な電圧ＶＴＦＴと、電圧マージンＶｄｒｏｐとを合計し、合計結果のＶＥＬ＋ＶＴＦＴ＋Ｖｄｒｏｐを第１基準電圧Ｖｒｅｆ１の電圧として可変電圧源１８０に出力する。
【０１５５】
また、信号処理回路１６０は、ピーク信号検出回路１５０を介して入力された映像データに対応する信号電圧をデータ線駆動回路１２０へ出力する。
【０１５６】
電位差検出回路１７０は、本実施の形態における本発明の電圧測定部であって、モニタ用の発光画素１１１Ｍについて、モニタ用の発光画素１１１Ｍに印加される高電位側の電位を測定する。具体的には、電位差検出回路１７０は、モニタ用の発光画素１１１Ｍに印加される高電位側の電位を、モニタ用配線１９０を介して測定する。つまり、検出点Ｍ１の電位を測定する。さらに、電位差検出回路１７０は、可変電圧源１８０の高電位側の出力電位を測定し、測定したモニタ用の発光画素１１１Ｍに印加される高電位側の電位と可変電圧源１８０の高電位側の出力電位との電位差ΔＶを測定する。そして、測定した電位差ΔＶを信号処理回路１６０へ出力する。
【０１５７】
可変電圧源１８０は、本実施の形態における本発明の電源供給部であって、高電位側の電位及び低電位側の電位を有機ＥＬ表示部１１０に出力する。この可変電圧源１８０は、信号処理回路１６０から出力される第１基準電圧Ｖｒｅｆ１により、モニタ用の発光画素１１１Ｍの高電位側の電位が所定の電位（ＶＥＬ＋ＶＴＦＴ）となるような出力電圧Ｖｏｕｔを出力する。
【０１５８】
モニタ用配線１９０は、一端がモニタ用の発光画素１１１Ｍに接続され、他端が電位差検出回路１７０に接続され、有機ＥＬ表示部１１０のマトリクスの行方向または列方向に沿って配置された、モニタ用の発光画素１１１Ｍに印加される高電位側の電位を伝達する検出線である。
【０１５９】
次に、この可変電圧源１８０の詳細な構成について簡単に説明する。
【０１６０】
図２０は、実施の形態２に係る可変電圧源の具体的な構成の一例を示すブロック図である。なお、同図には可変電圧源に接続されている有機ＥＬ表示部１１０及び信号処理回路１６０も示されている。
【０１６１】
同図に示す可変電圧源１８０は、実施の形態１で説明した可変電圧源１８０と同様である。
【０１６２】
誤差増幅器１８６は、出力検出部１８５で分圧されたＶｏｕｔと、信号処理回路１６０から出力された第１基準電圧Ｖｒｅｆ１とを比較し、その比較結果に応じた電圧をＰＷＭ回路１８２へ出力する。具体的には、誤差増幅器１８６は、オペアンプ１８７と、抵抗Ｒ３及びＲ４とを有する。オペアンプ１８７は、反転入力端子が抵抗Ｒ３を介して出力検出部１８５に接続され、非反転入力端子が信号処理回路１６０に接続され、出力端子がＰＷＭ回路１８２と接続されている。また、オペアンプ１８７の出力端子は、抵抗Ｒ４を介して反転入力端子と接続されている。これにより、誤差増幅器１８６は、出力検出部１８５から入力された電圧と信号処理回路１６０から入力された第１基準電圧Ｖｒｅｆ１との電位差に応じた電圧をＰＷＭ回路１８２へ出力する。言い換えると、出力電圧Ｖｏｕｔと第１基準電圧Ｖｒｅｆ１との電位差に応じた電圧をＰＷＭ回路１８２へ出力する。
【０１６３】
ＰＷＭ回路１８２は、比較回路１８１から出力された電圧に応じてデューティの異なるパルス波形をドライブ回路１８３に出力する。具体的には、ＰＷＭ回路１８２は、比較回路１８１から出力された電圧が大きい場合オンデューティの長いパルス波形を出力し、出力された電圧が小さい場合オンデューティの短いパルス波形を出力する。言い換えると、出力電圧Ｖｏｕｔと第１基準電圧Ｖｒｅｆ１との電位差が大きい場合オンデューティの長いパルス波形を出力し、出力電圧Ｖｏｕｔと第１基準電圧Ｖｒｅｆ１との電位差が小さい場合オンデューティの短いパルス波形を出力する。なお、パルス波形のオンの期間とは、パルス波形がアクティブの期間である。
【０１６４】
出力電圧Ｖｏｕｔが第１基準電圧Ｖｒｅｆ１に近づくにつれて、ＰＷＭ回路１８２に入力される電圧は小さくなり、ＰＷＭ回路１８２が出力するパルス信号のオンデューティは短くなる。
【０１６５】
するとスイッチング素子ＳＷがオンする時間も短くなり、出力電圧Ｖｏｕｔは緩やかに第１基準電圧Ｖｒｅｆ１に収束してゆく。
【０１６６】
最終的に、Ｖｏｕｔ＝Ｖｒｅｆ１付近の電位でわずかに電圧変動しながら出力電圧Ｖｏｕｔの電位が確定する。
【０１６７】
このように、可変電圧源１８０は、信号処理回路１６０から出力された第１基準電圧Ｖｒｅｆ１となるような出力電圧Ｖｏｕｔを生成し、有機ＥＬ表示部１１０へ供給する。
【０１６８】
次に、上述した表示装置１００の動作について図２１、図２２及び図７を用いて説明する。
【０１６９】
図２１は、本発明の表示装置１００の動作を示すフローチャートである。
【０１７０】
まず、ピーク信号検出回路１５０は、表示装置１００に入力された１フレーム期間の映像データを取得する（ステップＳ１１）。例えば、ピーク信号検出回路１５０は、バッファを有し、そのバッファに１フレーム期間の映像データを蓄積する。
【０１７１】
次に、ピーク信号検出回路１５０は、取得した映像データのピーク値を検出（ステップＳ１２）し、検出したピーク値を示すピーク信号を信号処理回路１６０へ出力する。具体的には、ピーク信号検出回路１５０は、色ごとに映像データのピーク値を検出する。例えば、映像データが赤（Ｒ）、緑（Ｇ）、青（Ｂ）のそれぞれについて０〜２５５（大きいほど輝度が高い）までの２５６階調で表されているとする。ここで、有機ＥＬ表示部１１０の一部の映像データがＲ：Ｇ：Ｂ＝１７７：１２４：１３５、有機ＥＬ表示部１１０の他の一部の映像データがＲ：Ｇ：Ｂ＝２４：１７７：５０、さらに他の一部の映像データがＲ：Ｇ：Ｂ＝１０：７０：１７６の場合、ピーク信号検出回路１５０はＲのピーク値として１７７、Ｇのピーク値として１７７、Ｂのピーク値として１７６を検出し、検出した各色のピーク値を示すピーク信号を信号処理回路１６０へ出力する。
【０１７２】
次に、信号処理回路１６０は、ピーク信号検出回路１５０から出力されたピーク値で有機ＥＬ素子１２１を発光させた場合の駆動トランジスタ１２５に必要な電圧ＶＴＦＴと、有機ＥＬ素子１２１に必要な電圧ＶＥＬとを決定する（ステップＳ１３）。具体的には、信号処理回路１６０は、各色の階調に対応するＶＴＦＴ＋ＶＥＬの必要電圧を示す必要電圧換算テーブルを用いて各色の階調に対応するＶＴＦＴ＋ＶＥＬを決定する。
【０１７３】
図２２は、信号処理回路１６０が有する必要電圧換算テーブルの一例を示す図である。
【０１７４】
同図に示すように、必要電圧換算テーブルには各色の階調に対応するＶＴＦＴ＋ＶＥＬの必要電圧が格納されている。例えば、Ｒのピーク値１７７に対応する必要電圧は８．５Ｖ、Ｇのピーク値１７７に対応する必要電圧は９．９Ｖ、Ｂのピーク値１７６に対応する必要電圧は６．７Ｖとなる。各色のピーク値に対応する必要電圧のうち、最大の電圧はＧのピーク値に対応する９．９Ｖである。よって、信号処理回路１６０は、ＶＴＦＴ＋ＶＥＬを９．９Ｖと決定する。
【０１７５】
一方、電位差検出回路１７０は、検出点Ｍ１の電位を、モニタ用配線１９０を介して検出する（ステップＳ１４）。
【０１７６】
次に、電位差検出回路１７０は、可変電圧源１８０の出力端子１８４の電位と、検出点Ｍ１の電位との電位差ΔＶを検出する（ステップＳ１５）。そして、検出した電位差ΔＶを信号処理回路１６０へ出力する。なお、ここまでのステップＳ１１〜Ｓ１５は、本発明の電位測定処理に相当する。
【０１７７】
次に、信号処理回路１６０は、電位差検出回路１７０から出力された電位差信号から、電位差検出回路１７０が検出した電位差ΔＶに対応する電圧マージンＶｄｒｏｐを決定する（ステップＳ１６）。具体的には、信号処理回路１６０は、電位差ΔＶに対応する電圧マージンＶｄｒｏｐを示す電圧マージン換算テーブルを有する。
【０１７８】
図７に示すように、電圧マージン換算テーブルには、電位差ΔＶに対応する電圧マージンＶｄｒｏｐが格納されている。例えば、電位差ΔＶが３．４Ｖの場合、電圧マージンＶｄｒｏｐは３．４Ｖである。よって、信号処理回路１６０は、電圧マージンＶｄｒｏｐを３．４Ｖと決定する。
【０１７９】
ところで、電圧マージン換算テーブルに示すように、電位差ΔＶと電圧マージンＶｄｒｏｐとは増加関数の関係となっている。また、可変電圧源１８０の出力電圧Ｖｏｕｔは電圧マージンＶｄｒｏｐが大きいほど高くなる。つまり、電位差ΔＶと出力電圧Ｖｏｕｔとは増加関数の関係となっている。
【０１８０】
次に、信号処理回路１６０は、次のフレーム期間に可変電圧源１８０に出力させる出力電圧Ｖｏｕｔを決定する（ステップＳ１７）。具体的には、次のフレーム期間に可変電圧源１８０に出力させる出力電圧Ｖｏｕｔを、有機ＥＬ素子１２１と駆動トランジスタ１２５に必要な電圧の決定（ステップＳ１３）で決定されたＶＴＦＴ＋ＶＥＬと電位差ΔＶに対応する電圧マージンの決定（ステップＳ１５）で決定された電圧マージンＶｄｒｏｐとの合計値であるＶＴＦＴ＋ＶＥＬ＋Ｖｄｒｏｐとする。
【０１８１】
最後に、信号処理回路１６０は、次のフレーム期間の最初に、第１基準電圧Ｖｒｅｆ１をＶＴＦＴ＋ＶＥＬ＋Ｖｄｒｏｐとすることにより、可変電圧源１８０を調整する（ステップＳ１８）。これにより、次のフレーム期間において、可変電圧源１８０は、Ｖｏｕｔ＝ＶＴＦＴ＋ＶＥＬ＋Ｖｄｒｏｐとして、有機ＥＬ表示部１１０へ供給する。なお、ステップＳ１６〜ステップＳ１８は、本発明の電圧調整処理に相当する。
【０１８２】
このように、本実施の形態に係る表示装置１００は、高電位側の電位及び低電位側の電位を出力する可変電圧源１８０と、有機ＥＬ表示部１１０における、モニタ用の発光画素１１１Ｍについて、当該モニタ用の発光画素１１１Ｍに印加される高電位側の電位、及び、可変電圧源１８０の高電位側の出力電圧Ｖｏｕｔを測定する電位差検出回路１７０と、電位差検出回路１７０で測定されたモニタ用の発光画素１１１Ｍに印加される高電位側の電位を所定の電位（ＶＴＦＴ＋ＶＥＬ）にするように可変電圧源１８０を調整する信号処理回路１６０とを含む。また、電位差検出回路１７０は、さらに、可変電圧源１８０の高電位側の出力電圧Ｖｏｕｔを測定し、測定した高電位側の出力電圧Ｖｏｕｔと、モニタ用の発光画素１１１Ｍに印加される高電位側の電位との電位差を検出し、信号処理回路１６０は、電位差検出回路１７０で検出された電位差に応じて可変電圧源を調整する。
【０１８３】
これにより、表示装置１００は、水平方向の第１電源配線抵抗Ｒ１ｈ及び垂直方向の第１電源配線抵抗Ｒ１ｖによる電圧降下を検出し、その電圧降下の程度を可変電圧源１８０にフィードバックすることで、余分な電圧を減らし、消費電力を削減することができる。
【０１８４】
また、表示装置１００は、モニタ用の発光画素１１１Ｍが有機ＥＬ表示部１１０の中央付近に配置されていることにより、有機ＥＬ表示部１１０が大型化した場合にも、可変電圧源１８０の出力電圧Ｖｏｕｔを簡便に調整できる。
【０１８５】
また、消費電力を削減することにより有機ＥＬ素子１２１の発熱が抑えられるので、有機ＥＬ素子１２１の劣化を防止できる。
【０１８６】
次に、上述の表示装置１００において、第Ｎフレーム以前と第Ｎ＋１フレーム以降とで、入力される映像データが変わる場合の表示パターンの変遷について、図８及び図９を用いて説明する。
【０１８７】
最初に、第Ｎフレーム及び第Ｎ＋１フレームに入力されたと想定する映像データについて説明する。
【０１８８】
まず、第Ｎフレーム以前において、有機ＥＬ表示部１１０の中心部に対応する映像データは、有機ＥＬ表示部１１０の中心部が白く見えるようなピーク階調（Ｒ：Ｇ：Ｂ＝２５５：２５５：２５５）とする。一方、有機ＥＬ表示部１１０の中心部以外に対応する映像データは、有機ＥＬ表示部１１０の中心部以外がグレーに見えるようなグレー階調（Ｒ：Ｇ：Ｂ＝５０：５０：５０）とする。
【０１８９】
また、第Ｎ＋１フレーム以降において、有機ＥＬ表示部１１０の中心部に対応する映像データは、第Ｎフレームと同様にピーク階調（Ｒ：Ｇ：Ｂ＝２５５：２５５：２５５）とする。一方、有機ＥＬ表示部１１０の中心部以外に対応する映像データは、第Ｎフレームよりも明るいグレーに見えるようなグレー階調（Ｒ：Ｇ：Ｂ＝１５０：１５０：１５０）とする。
【０１９０】
次に、第Ｎフレーム及び第Ｎ＋１フレームに上述のような映像データが入力された場合の、表示装置１００の動作について説明する。
【０１９１】
図８には、電位差検出回路１７０で検出された電位差ΔＶと、可変電圧源１８０からの出力電圧Ｖｏｕｔと、モニタ用の発光画素１１１Ｍの画素輝度とが示されている。また、各フレーム期間の最後には、ブランキング期間が設けられている。
【０１９２】
時間ｔ＝Ｔ１０において、ピーク信号検出回路１５０は第Ｎフレームの映像データのピーク値を検出する。信号処理回路１６０は、ピーク信号検出回路１５０で検出されたピーク値からＶＴＦＴ＋ＶＥＬを決定する。ここで、第Ｎフレームの映像データのピーク値はＲ：Ｇ：Ｂ＝２５５：２５５：２５５であるので、信号処理回路１６０は、必要電圧換算テーブルを用いて第Ｎ＋１フレームの必要電圧ＶＴＦＴ＋ＶＥＬを、例えば１２．２Ｖと決定する。
【０１９３】
一方、このとき電位差検出回路１７０は、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１０においてΔＶ＝１Ｖを検出する。そして、電圧マージン換算テーブルを用いて、第Ｎ＋１フレームの電圧マージンＶｄｒｏｐを１Ｖと決定する。
【０１９４】
時間ｔ＝Ｔ１０〜Ｔ１１は第Ｎフレームのブランキング期間であり、この期間において有機ＥＬ表示部１１０には、時間ｔ＝Ｔ１０と同じ画像が表示される。
【０１９５】
図９（ａ）は、時間ｔ＝Ｔ１０〜Ｔ１１において、有機ＥＬ表示部１１０に表示される画像を模式的に示す図である。この期間において、有機ＥＬ表示部１１０に表示される画像は、第Ｎフレームの映像データに対応して、中心部が白く、中心部以外がグレーとなっている。
【０１９６】
時間ｔ＝Ｔ１１において、信号処理回路１６０は、第１基準電圧Ｖｒｅｆ１の電圧を、決定した必要電圧ＶＴＦＴ＋ＶＥＬと、電圧マージンＶｄｒｏｐとの合計ＶＴＦＴ＋ＶＥＬ＋Ｖｄｒｏｐ（例えば、１３．２Ｖ）とする。
【０１９７】
時間ｔ＝Ｔ１１〜Ｔ１６にかけて、有機ＥＬ表示部１１０には、第Ｎ＋１フレームの映像データに対応する画像が順に表示されていく（図９（ｂ）〜図９（ｆ））。このとき、可変電圧源１８０からの出力電圧Ｖｏｕｔは、常に、時間ｔ＝Ｔ１１で第１基準電圧Ｖｒｅｆ１の電圧に設定したＶＴＦＴ＋ＶＥＬ＋Ｖｄｒｏｐとなっている。しかしながら、第Ｎ＋１フレームでは、有機ＥＬ表示部１１０の中心部以外に対応する映像データは、第Ｎフレームよりも明るいグレーに見えるようなグレー階調である。よって、可変電圧源１８０から有機ＥＬ表示部１１０に供給する電流量は、時間ｔ＝Ｔ１１〜Ｔ１６にかけて徐々に増加し、この電流量の増加に伴い第１電源配線１１２の電圧降下が徐々に大きくなる。これにより、明るく表示されている領域の発光画素１１１である、有機ＥＬ表示部１１０の中心部の発光画素１１１の電源電圧が不足する。言い換えると、第Ｎ＋１フレームの映像データＲ：Ｇ：Ｂ＝２５５：２５５：２５５に対応する画像よりも輝度が低下する。つまり、時間ｔ＝Ｔ１１〜Ｔ１６にかけて、有機ＥＬ表示部１１０の中心部の発光画素１１１の発光輝度は徐々に低下する。
【０１９８】
次に、時間ｔ＝Ｔ１６において、ピーク信号検出回路１５０は第Ｎ＋１フレームの映像データのピーク値を検出する。ここで検出される第Ｎ＋１フレームの映像データのピーク値はＲ：Ｇ：Ｂ＝２５５：２５５：２５５であるので、信号処理回路１６０は第Ｎ＋２フレームの必要電圧ＶＴＦＴ＋ＶＥＬを、例えば１２．２Ｖと決定する。
【０１９９】
一方、このとき電位差検出回路１７０は、モニタ用配線１９０を介して検出点Ｍ１の電位を検出し、可変電圧源１８０から出力されている出力電圧Ｖｏｕｔとの電位差ΔＶを検出する。例えば、時間ｔ＝Ｔ１６においてΔＶ＝３Ｖを検出する。そして、電圧マージン換算テーブルを用いて、第Ｎ＋１フレームの電圧マージンＶｄｒｏｐを３Ｖと決定する。
【０２００】
次に、時間ｔ＝Ｔ１７において、信号処理回路１６０は、第１基準電圧Ｖｒｅｆ１の電圧を、決定した必要電圧ＶＴＦＴ＋ＶＥＬと、電圧マージンＶｄｒｏｐとの合計ＶＴＦＴ＋ＶＥＬ＋Ｖｄｒｏｐ（例えば、１５．２Ｖ）とする。よって、時間ｔ＝Ｔ１７以降、検出点Ｍ１の電位は、所定の電位であるＶＴＦＴ＋ＶＥＬとなる。
【０２０１】
このように、表示装置１００は、第Ｎ＋１フレームにおいて、一時的に輝度が低下するが、非常に短い期間であり、ユーザにとってほとんど影響はない。
【０２０２】
また、本実施の形態においても、有機ＥＬ表示部１１０におけるモニタ用配線のレイアウトについては、実施の形態１及びその第１〜第５の変形例において説明した配線レイアウトが適用される。
【０２０３】
上記配線レイアウトにより、発光画素の電位を検出するためのモニタ用配線を、従来からのマトリクス状の発光画素配置に変更を加えることなく配置することができる。
【０２０４】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０２０５】
（実施の形態３）
本実施の形態に係る表示装置は、実施の形態２に係る表示装置１００と比較して、電位差検出回路１７０を備えず、検出点Ｍ１の電位が可変電圧源に入力される点が異なる。また、信号処理回路は、可変電圧源に出力する電圧を必要電圧ＶＴＦＴ＋ＶＥＬとする点が異なる。これにより、本実施の形態に係る表示装置は、電圧降下量に応じてリアルタイムに可変電圧源の出力電圧Ｖｏｕｔを調整できるので、実施の形態１と比較して、画素輝度の一時的な低下を防止できる。
【０２０６】
図２３は、本発明の実施の形態３に係る表示装置の概略構成を示すブロック図である。
【０２０７】
同図に示す本実施の形態に係る表示装置２００は、図１９に示した実施の形態２に係る表示装置１００と比較して、電位差検出回路１７０を備えず、モニタ用配線１９０に代わりモニタ用配線２９０を備え、信号処理回路１６０に代わり信号処理回路２６０を備え、可変電圧源１８０に代わり可変電圧源２８０を備える点が異なる。
【０２０８】
信号処理回路２６０は、ピーク信号検出回路１５０から出力されたピーク信号から、可変電圧源２８０に出力する第２基準電圧Ｖｒｅｆ２の電圧を決定する。具体的には、信号処理回路２６０は、必要電圧換算テーブルを用いて、有機ＥＬ素子１２１に必要な電圧ＶＥＬと駆動トランジスタ１２５に必要な電圧ＶＴＦＴとの合計ＶＴＦＴ＋ＶＥＬを決定する。そして、決定したＶＴＦＴ＋ＶＥＬを第２基準電圧Ｖｒｅｆ２の電圧とする。
【０２０９】
このように、本実施の形態に係る表示装置２００の信号処理回路２６０が可変電圧源２８０に出力する第２基準電圧Ｖｒｅｆ２は、実施の形態２に係る表示装置１００の信号処理回路１６０が可変電圧源１８０に出力する第１基準電圧Ｖｒｅｆ１と異なり、映像データのみに対応して決定される電圧である。つまり、第２基準電圧Ｖｒｅｆ２は、可変電圧源２８０の出力電圧Ｖｏｕｔと検出点Ｍ１の電位との電位差ΔＶに依存しない。
【０２１０】
可変電圧源２８０は、モニタ用の発光画素１１１Ｍに印加される高電位側の電位を、モニタ用配線２９０を介して測定する。つまり、検出点Ｍ１の電位を測定する。そして、測定した検出点Ｍ１の電位と、信号処理回路２６０から出力された第２基準電圧Ｖｒｅｆ２とに応じて、出力電圧Ｖｏｕｔを調整する。
【０２１１】
モニタ用配線２９０は、一端が検出点Ｍ１に接続され、他端が可変電圧源２８０に接続され、検出点Ｍ１の電位を可変電圧源２８０に伝達する。
【０２１２】
図２４は、実施の形態３に係る可変電圧源２８０の具体的な構成の一例を示すブロック図である。なお、同図には可変電圧源に接続されている有機ＥＬ表示部１１０及び信号処理回路２６０も示されている。
【０２１３】
同図に示す可変電圧源２８０は、図２０に示した可変電圧源１８０の構成とほぼ同じであるが、比較回路１８１に代わり、検出点Ｍ１の電位と第２基準電圧Ｖｒｅｆ２とを比較する比較回路２８１を備える点が異なる。
【０２１４】
ここで、可変電圧源２８０の出力電位をＶｏｕｔとし、可変電圧源２８０の出力端子１８４から検出点Ｍ１までの電圧降下量をΔＶとすると、検出点Ｍ１の電位はＶｏｕｔ−ΔＶとなる。つまり、本実施の形態において、比較回路２８１はＶｒｅｆ２とＶｏｕｔ−ΔＶとを比較している。上述したように、Ｖｒｅｆ２＝ＶＴＦＴ＋ＶＥＬなので、比較回路２８１はＶＴＦＴ＋ＶＥＬとＶｏｕｔ−ΔＶとを比較していると言える。
【０２１５】
一方、実施の形態２において、比較回路１８１はＶｒｅｆ１とＶｏｕｔとを比較している。上述したように、Ｖｒｅｆ１＝ＶＴＦＴ＋ＶＥＬ＋ΔＶなので、実施の形態２において、比較回路１８１はＶＴＦＴ＋ＶＥＬ＋ΔＶとＶｏｕｔとを比較していると言える。
【０２１６】
よって、比較回路２８１は、比較回路１８１と比較対象が異なるが、比較結果は同じである。つまり、実施の形態２と実施の形態３とで、可変電圧源２８０の出力端子１８４から検出点Ｍ１までの電圧降下量が等しい場合、比較回路１８１がＰＷＭ回路に出力する電圧と、比較回路２８１がＰＷＭ回路に出力する電圧とは同じである。その結果、可変電圧源１８０の出力電圧Ｖｏｕｔと可変電圧源２８０の出力電圧Ｖｏｕｔとは等しくなる。また、実施の形態３においても、電位差ΔＶと出力電圧Ｖｏｕｔとは増加関数の関係となっている。
【０２１７】
以上のように構成された表示装置２００は、実施の形態２に係る表示装置１００と比較して、出力端子１８４と検出点Ｍ１との電位差ΔＶに応じて出力電圧Ｖｏｕｔをリアルタイムに調整できる。なぜならば、実施の形態２に係る表示装置１００においては、信号処理回路１６０から各フレーム期間の最初にだけ、当該フレームにおける第１基準電圧Ｖｒｅｆ１の変更がされていた。一方、本実施の形態に係る表示装置２００においては、信号処理回路２６０を介さずに、可変電圧源２８０の比較回路１８１に直接ΔＶに依存した電圧、つまりＶｏｕｔ−ΔＶ、が入力されることにより、信号処理回路２６０の制御に依存せずにＶｏｕｔを調整することができるからである。
【０２１８】
次に、このように構成された表示装置２００において、実施の形態２と同様に、第Ｎフレーム以前と第Ｎ＋１フレーム以降とで、入力される映像データが変わる場合の、表示装置２００の動作について説明する。なお、入力される映像データは実施の形態２と同様に、第Ｎフレーム以前の、有機ＥＬ表示部１１０の中心部がＲ：Ｇ：Ｂ＝２５５：２５５：２５５、中心部以外がＲ：Ｇ：Ｂ＝５０：５０：５０とし、第Ｎ＋１フレーム以降の、有機ＥＬ表示部１１０の中心部がＲ：Ｇ：Ｂ＝２５５：２５５：２５５、中心部以外がＲ：Ｇ：Ｂ＝１５０：１５０：１５０とする。
【０２１９】
図２５は、第Ｎフレーム〜第Ｎ＋２フレームにおける、実施の形態２に係る表示装置２００の動作を示すタイミングチャートである。
【０２２０】
時間ｔ＝Ｔ２０において、ピーク信号検出回路１５０は第Ｎフレームの映像データのピーク値を検出する。信号処理回路２６０は、ピーク信号検出回路１５０で検出されたピーク値からＶＴＦＴ＋ＶＥＬを求める。ここで、第Ｎフレームの映像データのピーク値はＲ：Ｇ：Ｂ＝２５５：２５５：２５５であるので、信号処理回路１６０は、必要電圧換算テーブルを用いて第Ｎ＋１フレームの必要電圧ＶＴＦＴ＋ＶＥＬを、例えば１２．２Ｖと決定する。
【０２２１】
一方、出力検出部１８５は、モニタ用配線２９０を介して検出点Ｍ１の電位を、常に検出している。
【０２２２】
次に、時間ｔ＝Ｔ２１において、信号処理回路２６０は、第２基準電圧Ｖｒｅｆ２の電圧を、決定した必要電圧ＶＴＦＴ＋ＴＥＬ（例えば、１２．２Ｖ）とする。
【０２２３】
時間ｔ＝Ｔ２１〜Ｔ２２にかけて、有機ＥＬ表示部１１０には、第Ｎ＋１フレームの映像データに対応する画像が順に表示されていく。このとき、可変電圧源２８０から有機ＥＬ表示部１１０に供給する電流量は、実施の形態１で説明したように徐々に増加する。よって、電流量の増加に伴い第１電源配線１１２における電圧降下が徐々に大きくなる。つまり、検出点Ｍ１の電位が徐々に低下する。言い換えると、出力電圧Ｖｏｕｔと検出点Ｍ１の電位との電位差ΔＶが徐々に増大する。
【０２２４】
ここで、誤差増幅器１８６は、ＶＴＦＴ＋ＶＥＬとＶｏｕｔ−ΔＶとの電位差に応じた電圧をリアルタイムに出力するので、電位差ΔＶの増大に応じてＶｏｕｔを上昇させるような電圧を出力する。
【０２２５】
よって、可変電圧源２８０は、電位差ΔＶの増大に応じてＶｏｕｔをリアルタイムに上昇する。
【０２２６】
これにより、明るく表示されている領域の発光画素１１１である、有機ＥＬ表示部１１０の中心部の発光画素１１１の電源電圧の不足は解消する。つまり、画素輝度の低下を解消する。
【０２２７】
以上のように、本実施の形態に係る表示装置２００において、信号処理回路１６０と、可変電圧源２８０の誤差増幅器１８６、ＰＷＭ回路１８２及びドライブ回路１８３は、出力検出部１８５で測定されたモニタ用の発光画素１１１Ｍの高電位側の電位と、所定の電位との電位差を検出し、検出した電位差に応じてスイッチング素子ＳＷを調整する。これにより、本実施の形態に係る表示装置２００は、実施の形態２に係る表示装置１００と比較して、電圧降下量に応じてリアルタイムに可変電圧源２８０の出力電圧Ｖｏｕｔを調整できるので、実施の形態１と比較して、画素輝度の一時的な低下を防止できる。
【０２２８】
なお、本実施の形態において、有機ＥＬ表示部１１０は本発明の表示部であり、出力検出部１８５は本発明の電圧測定部であり、図２４において一点鎖線で囲まれている、信号処理回路１６０と、可変電圧源２８０の誤差増幅器１８６、ＰＷＭ回路１８２及びドライブ回路１８３とは本発明の電圧調整部であり、図２４において２点鎖線で囲まれている、スイッチング素子ＳＷ、ダイオードＤ、インダクタＬ及びコンデンサＣは本発明の電源供給部である。
【０２２９】
また、本実施の形態においても、有機ＥＬ表示部１１０におけるモニタ用配線のレイアウトについては、実施の形態１及びその第１〜第５の変形例において説明した配線レイアウトが適用される。
【０２３０】
上記配線レイアウトにより、発光画素の電位を検出するためのモニタ用配線を、従来からのマトリクス状の発光画素配置に変更を加えることなく配置することができる。
【０２３１】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０２３２】
（実施の形態４）
本実施の形態に係る表示装置は、実施の形態２に係る表示装置１００と比較して、２以上の発光画素１１１のそれぞれについて高電位側の電位を測定し、測定した複数の電位のそれぞれと可変電圧源１８０の出力電圧との電位差を検出し、その検出結果のうち、最大の電位差に応じて、可変電圧源１８０を調整する点が異なる。
【０２３３】
これにより、可変電圧源１８０の出力電圧Ｖｏｕｔをより適切に調整することが可能となる。よって、有機ＥＬ表示部を大型化した場合であっても、消費電力を効果的に削減できる。
【０２３４】
図２６は、本発明の実施の形態４に係る表示装置の概略構成の一例を示すブロック図である。
【０２３５】
同図に示す本実施の形態に係る表示装置３００Ａは、図１９に示した実施の形態２に係る表示装置１００とほぼ同じであるが、表示装置１００と比較してさらに電位比較回路３７０Ａを備え、有機ＥＬ表示部１１０に代わり有機ＥＬ表示部３１０を備え、モニタ用配線１９０に代わりモニタ用配線３９１〜３９５を備える点が異なる。
【０２３６】
有機ＥＬ表示部３１０は、有機ＥＬ表示部１１０とほぼ同じであるが、有機ＥＬ表示部１１０と比較して、検出点Ｍ１〜Ｍ５と１対１に対応して設けられ、対応する検出点の電位を測定するためのモニタ用配線３９１〜３９５が配置されている点が異なる。
【０２３７】
検出点Ｍ１〜Ｍ５は、有機ＥＬ表示部３１０内に均等に設けられていることが望ましく、図２６に示すように、例えば、有機ＥＬ表示部３１０の中心と、有機ＥＬ表示部３１０を４分割した各領域の中心とが望ましい。なお、同図には、５つの検出点Ｍ１〜Ｍ５が図示されているが、検出点は複数であればよく、２つでも、３つでもよい。
【０２３８】
モニタ用配線３９１〜３９５は、それぞれ、対応する検出点Ｍ１〜Ｍ５と、電位比較回路３７０Ａとに接続され、対応する検出点Ｍ１〜Ｍ５の電位を伝達する。これにより、電位比較回路３７０Ａは、モニタ用配線３９１〜３９５を介して検出点Ｍ１〜Ｍ５の電位を測定できる。
【０２３９】
電位比較回路３７０Ａは、モニタ用配線３９１〜３９５を介して検出点Ｍ１〜Ｍ５の電位を測定する。言い換えると、複数のモニタ用の発光画素１１１Ｍに印加される高電位側の電位を測定する。さらに、測定した検出点Ｍ１〜Ｍ５の電位のうち最小の電位を選択し、選択した電位を電位差検出回路１７０へ出力する。
【０２４０】
電位差検出回路１７０は、実施の形態１と同様に入力された電位と可変電圧源１８０の出力電圧Ｖｏｕｔとの電位差ΔＶを検出し、検出した電位差ΔＶを信号処理回路１６０へ出力する。
【０２４１】
よって、信号処理回路１６０は電位比較回路３７０Ａで選択された電位に基づいて可変電圧源１８０を調整する。その結果、可変電圧源１８０は、複数のモニタ用の発光画素１１１Ｍのいずれにおいても輝度の低下が生じないような出力電圧Ｖｏｕｔを、有機ＥＬ表示部３１０に供給する。
【０２４２】
以上のように、本実施の形態に係る表示装置３００Ａは、電位比較回路３７０Ａが、有機ＥＬ表示部３１０内における複数の発光画素１１１のそれぞれについて、印加される高電位側の電位を測定し、測定した複数の発光画素１１１の電位のうち最小の電位を選択する。そして、電位差検出回路１７０が、電位比較回路３７０Ａで選択された最小の電位と、可変電圧源１８０の出力電圧Ｖｏｕｔとの電位差ΔＶを検出する。そして、信号処理回路１６０が検出された電位差ΔＶに応じて可変電圧源１８０を調整する。
【０２４３】
なお、本実施の形態に係る表示装置３００Ａにおいて、可変電圧源１８０は本発明の電源供給部であり、有機ＥＬ表示部３１０は本発明の表示部であり、電位比較回路３７０Ａの一部は本発明の電圧測定部であり、電位比較回路３７０Ａの他部、電位差検出回路１７０及び信号処理回路１６０は本発明の電圧調整部である。
【０２４４】
また、表示装置３００Ａでは電位比較回路３７０Ａと電位差検出回路１７０とを別に設けていたが、電位比較回路３７０Ａと電位差検出回路１７０の代わりに、可変電圧源１８０の出力電圧Ｖｏｕｔと検出点Ｍ１〜Ｍ５のそれぞれの電位とを比較する電位比較回路を備えてもよい。
【０２４５】
図２７は、本発明の実施の形態４に係る表示装置の概略構成の他の一例を示すブロック図である。
【０２４６】
同図に示す表示装置３００Ｂは、図２６に示した表示装置３００Ａとほぼ同じ構成であるが、電位比較回路３７０Ａと電位差検出回路１７０の代わりに、電位比較回路３７０Ｂを備える点が異なる。
【０２４７】
電位比較回路３７０Ｂは、可変電圧源１８０の出力電圧Ｖｏｕｔと検出点Ｍ１〜Ｍ５のそれぞれの電位とを比較することで、検出点Ｍ１〜Ｍ５に対応する複数の電位差を検出する。そして、検出した電位差のうち、最大の電位差を選択し、当該最大の電位差である電位差ΔＶを信号処理回路１６０へと出力する。
【０２４８】
信号処理回路１６０は、表示装置３００Ａの信号処理回路１６０と同様に、可変電圧源１８０を調整する。
【０２４９】
なお、表示装置３００Ｂにおいて、可変電圧源１８０は本発明の電源供給部であり、有機ＥＬ表示部３１０は本発明の表示部であり、電位比較回路３７０Ｂの一部は本発明の電圧測定部であり、電位比較回路３７０Ｂの他部及び信号処理回路１６０は本発明の電圧調整部である。
【０２５０】
以上のように、本実施の形態に係る表示装置３００Ａ及び３００Ｂは、複数のモニタ用の発光画素１１１Ｍのいずれにおいても輝度の低下が生じないような出力電圧Ｖｏｕｔを有機ＥＬ表示部３１０に供給する。つまり、出力電圧Ｖｏｕｔをより適切な値とすることで、消費電力をより低減し、かつ、発光画素１１１の輝度の低下を抑制する。以下、この効果について、図２８Ａ〜図２８Ｂを用いて説明する。
【０２５１】
図２８Ａは有機ＥＬ表示部３１０に表示される画像の一例を模式的に示す図であり、図２８Ｂは図２８Ａに示す画像を表示している場合のｘ−ｘ’線における第１電源配線１１２の電圧降下量を示すグラフである。また、図２９Ａは有機ＥＬ表示部３１０に表示される画像の他の一例を模式的に示す図であり、図２９Ｂは図２９Ａに示す画像を表示している場合のｘ−ｘ’線における第１電源配線１１２の電圧降下量を示すグラフである。
【０２５２】
図２８Ａに示すように、有機ＥＬ表示部３１０の全ての発光画素１１１が同じ輝度で発光している場合、第１電源配線１１２の電圧降下量は図２８Ｂに示すようになる。
【０２５３】
従って、画面中心の検出点Ｍ１の電位を調べれば、電圧降下のワーストケースがわかる。よって、検出点Ｍ１の電圧降下量ΔＶに対応する電圧マージンＶｄｒｏｐをＶＴＦＴ＋ＶＥＬに加算することにより、有機ＥＬ表示部３１０内の全ての発光画素１１１を正確な輝度で発光させることができる。
【０２５４】
一方、図２９Ａに示すように、画面を上下方向に２等分割かつ横方向に２等分割した領域、つまり画面を４分割した領域、の中心部の発光画素１１１が同じ輝度で発光かつ他の発光画素１１１が消光している場合、第１電源配線１１２の電圧降下量は図２９Ｂに示すようになる。
【０２５５】
従って、画面中心の検出点Ｍ１の電位のみを測定する場合は、検出した電位に、あるオフセット電位を加えた電圧を、電圧マージンとして設定する必要がある。例えば、画面中心の電圧降下量（０．２Ｖ）に対して、常に１．３Ｖのオフセットを追加した電圧を、電圧マージンＶｄｒｏｐとして設定するように電圧マージン換算テーブルを設定しておけば、有機ＥＬ表示部３１０内の全発光画素１１１を、正確な輝度で発光させることができる。ここで、正確な輝度で発光するとは、発光画素１１１の駆動トランジスタ１２５が飽和領域で動作しているということである。
【０２５６】
しかし、この場合、電圧マージンＶｄｒｏｐとして常に１．３Ｖが必要になるので、消費電力低減効果が小さくなってしまう。例えば、実際の電圧降下量が０．１Ｖの画像の場合でも、電圧マージンとして０．１＋１．３＝１．４Ｖ持つことになるので、その分だけ出力電圧Ｖｏｕｔが高くなり、消費電力の低減効果が小さくなる。
【０２５７】
そこで、画面中心の検出点Ｍ１だけでなく、図２９Ａに示すように、画面を四分割し、そのそれぞれの中心と、画面全体の中心との５箇所の検出点Ｍ１〜Ｍ５の電位を測定する構成にすることにより、電圧降下量を検出する精度を高めることができる。よって、追加のオフセット量を少なくして、消費電力低減効果を高めることができる。
【０２５８】
例えば、図２９Ａ及び図２９Ｂにおいて、検出点Ｍ２〜Ｍ５の電位が１．３Ｖの場合、０．２Ｖのオフセットを追加した電圧を電圧マージンとして設定するようにすれば、有機ＥＬ表示部３１０内の全発光画素１１１を正確な輝度で発光させることができる。
【０２５９】
この場合は、実際の電圧降下量が０．１Ｖの画像の場合でも、電圧マージンＶｄｒｏｐとして設定される値は０．１＋０．２＝０．３Ｖなので、画面中心の検出点Ｍ１の電位のみを測定した場合に比べてさらに１．１Ｖの電源電圧を低減することができる。
【０２６０】
以上のように、表示装置３００Ａ及び３００Ｂは、表示装置１００及び２００と比較して、検出点が多く、測定した複数の電圧降下量の最大値に応じて出力電圧Ｖｏｕｔを調整することが可能となる。よって、有機ＥＬ表示部３１０を大型化した場合であっても、消費電力を効果的に削減できる。
【０２６１】
また、本実施の形態においても、有機ＥＬ表示部１１０におけるモニタ用配線のレイアウトについては、実施の形態１及びその第１〜第５の変形例において説明した配線レイアウトが適用される。
【０２６２】
上記配線レイアウトにより、発光画素の電位を検出するためのモニタ用配線を、従来からのマトリクス状の発光画素配置に変更を加えることなく配置することができる。
【０２６３】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０２６４】
（実施の形態５）
本実施の形態に係る表示装置は、実施の形態４に係る表示装置３００Ａ及び３００Ｂと同様に、２以上の発光画素１１１のそれぞれについて高電位側の電位を測定し、測定した複数の電位のそれぞれと可変電圧源の出力電圧との電位差を検出する。そして、その検出結果のうち、最大の電位差に応じて、可変電圧源の出力電圧が変化するように、可変電圧源を調整する。ただし、本実施の形態に係る表示装置は、表示装置３００Ａ及び３００Ｂと比較して、電位比較回路で選択された電位が信号処理回路ではなく、可変電圧源に入力されている点が異なる。
【０２６５】
これにより、本実施の形態に係る表示装置は、電圧降下量に応じてリアルタイムに可変電圧源の出力電圧Ｖｏｕｔを調整できるので、実施の形態３に係る表示装置３００Ａ及び３００Ｂと比較して画素輝度の一時的な低下を防止できる。
【０２６６】
図３０は、本発明の実施の形態５に係る表示装置の概略構成を示すブロック図である。
【０２６７】
同図に示す表示装置４００は、実施の形態４に係る表示装置３００Ａとほぼ同様の構成を有するが、可変電圧源１８０に代わり可変電圧源２８０を備え、信号処理回路１６０に代わり信号処理回路２６０を備え、電位差検出回路１７０を備えず、電位比較回路３７０Ａで選択された電位が可変電圧源２８０に入力される点が異なる。
【０２６８】
これにより、可変電圧源２８０は、電位比較回路３７０Ａで選択された最も低い電圧に応じて出力電圧Ｖｏｕｔをリアルタイムに上昇する。
【０２６９】
よって、本実施の形態に係る表示装置４００は、表示装置３００Ａ及び３００Ｂと比較して、画素輝度の一時的な低下を解消できる。
【０２７０】
また、本実施の形態においても、有機ＥＬ表示部１１０におけるモニタ用配線のレイアウトについては、実施の形態１及びその第１〜第５の変形例において説明した配線レイアウトが適用される。
【０２７１】
上記配線レイアウトにより、発光画素の電位を検出するためのモニタ用配線を、従来からのマトリクス状の発光画素配置に変更を加えることなく配置することができる。
【０２７２】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０２７３】
（実施の形態６）
実施の形態１では、一の発光画素の高電位側または低電位側の電位をモニタすることにより、当該高電位側の電位と基準電位との電位差、または、当該低電位側の電位と基準電位との電位差を所定の電位差へと調整する表示装置を説明した。これに対し、本実施の形態では、一の発光画素の高電位側の電位と、当該発光画素とは異なる発光画素の低電位側の電位とをモニタすることにより、当該高電位側の電位と基準電位Ａとの電位差を所定の電位差へと調整し、また、当該低電位側の電位と基準電位Ｂとの電位差を所定の電位差へと調整する表示装置を説明する。
【０２７４】
以下、本発明の実施の形態６について、図を用いて具体的に説明する。
【０２７５】
図３１は、本発明の実施の形態６に係る表示装置の概略構成を示すブロック図である。      
【０２７６】
同図に示す表示装置５００は、有機ＥＬ表示部５１０と、データ線駆動回路１２０と、書込走査駆動回路１３０と、制御回路１４０と、信号処理回路１６５と、高電位側電位差検出回路１７０Ａと、低電位側電位差検出回路１７０Ｂと、高電位側電圧マージン設定部１７５Ａと、低電位側電圧マージン設定部１７５Ｂと、高電位側可変電圧源１８０Ａと、低電位側可変電圧源１８０Ｂと、モニタ用配線１９０Ａ及び１９０Ｂとを備える。
【０２７７】
本実施の形態に係る表示装置５００は、実施の形態１に係る表示装置５０と比較して、高電位側及び低電位側の２つの電位差検出回路、２本のモニタ用配線、２つの可変電圧源を備える点が異なる。以下、実施の形態１と同じ点は説明を省略し、異なる点のみ説明する。
【０２７８】
図３２は、実施の形態６に係る有機ＥＬ表示部５１０の構成を模式的に示す斜視図である。なお、図中上方が表示面側である。同図に示すように、有機ＥＬ表示部５１０は、複数の発光画素１１１と、第１電源配線１１２と、第２電源配線１１３とを有する。複数の発光画素１１１のうち、予め定められた少なくとも一つの発光画素は、高電位側の検出点ＭＡでモニタ用配線１９０Ａに接続されている。また、複数の発光画素１１１のうち、予め定められた少なくとも一つの発光画素は、低電位側の検出点ＭＢでモニタ用配線１９０Ｂに接続されている。以降、モニタ用配線１９０Ａに直接接続された発光画素１１１をモニタ用の発光画素１１１ＭＡと記し、モニタ用配線１９０Ｂに直接接続された発光画素１１１をモニタ用の発光画素１１１ＭＢと記す。
【０２７９】
第１電源配線１１２は、マトリクス状に配置された発光画素１１１に対応させて、網目状に形成され、有機ＥＬ表示部５１０の周縁部に配置されている高電位側可変電圧源１８０Ａに電気的に接続されている。高電位側可変電圧源１８０Ａから高電位側の電源電位が出力されることにより、第１電源配線１１２には高電位側可変電圧源１８０Ａから出力された高電位側の電源電位に対応した電位が印加される。一方、第２電源配線１１３は、有機ＥＬ表示部５１０にベタ膜状に形成され、有機ＥＬ表示部５１０の周縁部に配置されている低電位側可変電圧源１８０Ｂに接続されている。低電位側可変電圧源１８０Ｂから低電位側の電源電位が出力されることにより、第２電源配線１１３には低電位側可変電圧源１８０Ｂから出力された低電位側の電源電位に対応した電位が印加される。
【０２８０】
モニタ用の発光画素１１１ＭＡ及び１１１ＭＢは、第１電源配線１１２及び第２電源配線１１３の配線方法、第１電源配線抵抗Ｒ１ｈ及びＲ１ｖの値、ならびに第２電源配線抵抗Ｒ２ｈ及びＲ２ｖの値に応じて、最適位置が決定される。本実施の形態では、高電位側の検出点ＭＡ及び低電位側の検出点ＭＢを、異なる発光画素に配置している。これにより、検出点の最適化が可能となる。例えば、高電位側の電圧降下が大きい傾向にある発光領域に発光画素１１１ＭＡを配置し、低電位側の電圧降下（上昇）が大きい傾向にある発光領域に発光画素１１１ＭＢを配置することにより、不要な箇所に検出点を配置する必要がなくなり、検出点の総数を減らすことができる。
【０２８１】
第２電源配線１１３が有する共通電極の一部を構成している有機ＥＬ素子１２１のカソード電極は、シート抵抗の高い透明電極（例えば、ＩＴＯ）を用いているので、第１電源配線１１２の電圧降下量よりも第２電源配線１１３の電圧上昇量が大きい場合がある。よって、モニタ用の発光画素に印加される低電位側の電位に応じて調整することにより、電源供給部の出力電位をより適切に調整でき、消費電力を一層削減することができる。
【０２８２】
図３３Ａ及び図３３Ｂは、発光画素１１１の具体的な構成の一例を示す回路図である。具体的には、図３３Ａは、高電位側のモニタ用配線１９０Ａに接続された発光画素１１１ＭＡの回路構成図であり、図３３Ｂは、低電位側のモニタ用配線１９０Ｂに接続された発光画素１１１ＭＢの回路構成図である。発光画素１１１ＭＡは、駆動素子のソース電極及びドレイン電極の他方にモニタ用配線１９０Ａが接続されており、発光画素１１１ＭＢは、発光素子の第２電極にモニタ用配線１９０Ｂが接続されている。具体的には、発光画素１１１、１１１ＭＡ及び１１１ＭＢは、それぞれ、有機ＥＬ素子１２１と、データ線１２２と、走査線１２３と、スイッチトランジスタ１２４と、駆動トランジスタ１２５と、保持容量１２６とを有する。また、発光画素１１１ＭＡは、有機ＥＬ表示部５１０に少なくとも１つ配置され、発光画素１１１ＭＢも、有機ＥＬ表示部５１０に少なくとも１つ配置される。
【０２８３】
以下、図３１に記載された各構成要素の機能について図３２、図３３Ａ及び図３３Ｂを参照しながら説明する。
【０２８４】
高電位側電位差検出回路１７０Ａは、本実施の形態における本発明の電圧検出部であって、モニタ用の発光画素１１１ＭＡについて、モニタ用の発光画素１１１ＭＡに印加される高電位側の電位を測定する。具体的には、高電位側電位差検出回路１７０Ａは、モニタ用の発光画素１１１ＭＡに印加される高電位側の電位を、モニタ用配線１９０Ａを介して測定する。さらに、高電位側電位差検出回路１７０Ａは、高電位側可変電圧源１８０Ａの出力電位を測定し、測定したモニタ用の発光画素１１１ＭＡに印加される高電位側の電位と基準電位との電位差と、高電位側可変電圧源１８０Ａの出力電位との電位差ΔＶＨを測定する。そして、測定した電位差ΔＶＨを高電位側電圧マージン設定部１７５Ａへ出力する。
【０２８５】
低電位側電位差検出回路１７０Ｂは、本実施の形態における本発明の電圧検出部であって、モニタ用の発光画素１１１ＭＢについて、モニタ用の発光画素１１１ＭＢに印加される低電位側の電位を測定する。具体的には、低電位側電位差検出回路１７０Ｂは、モニタ用の発光画素１１１ＭＢに印加される低電位側の電位を、モニタ用配線１９０Ｂを介して測定する。さらに、低電位側電位差検出回路１７０Ｂは、低電位側可変電圧源１８０Ｂの出力電位を測定し、測定したモニタ用の発光画素１１１ＭＢに印加される低電位側の電位と基準電位との電位差と、低電位側可変電圧源１８０Ｂの出力電位との電位差ΔＶＬを測定する。そして、測定した電位差ΔＶＬを低電位側電圧マージン設定部１７５Ｂへ出力する。
【０２８６】
高電位側電圧マージン設定部１７５Ａは、本実施の形態における本発明の高電位側電圧調整部であって、ピーク階調での（ＶＥＬ＋ＶＴＦＴ）電圧と、高電位側電位差検出回路１７０Ａで検出された電位差ΔＶＨとから、モニタ用の発光画素１１１ＭＡの電位と基準電位Ａとの電位差を所定の電圧にするように高電位側可変電圧源１８０Ａを調整する。具体的には、高電位側電圧マージン設定部１７５Ａは、高電位側電位差検出回路１７０Ａで検出された電位差を元に、電圧マージンＶＨｄｒｏｐを求める。そして、ピーク階調での（ＶＥＬ＋ＶＴＦＴ）電圧と、電圧マージンＶＨｄｒｏｐとを合計し、合計結果のＶＥＬ＋ＶＴＦＴ＋ＶＨｄｒｏｐの基準電位Ａよりも高い電圧分を第１高電位側基準電圧ＶＨｒｅｆ１として高電位側可変電圧源１８０Ａに出力する。
【０２８７】
また、低電位側電圧マージン設定部１７５Ｂは、本実施の形態における本発明の低電位側電圧調整部であって、ピーク階調での（ＶＥＬ＋ＶＴＦＴ）電圧と、低電位側電位差検出回路１７０Ｂで検出された電位差ΔＶＬとから、モニタ用の発光画素１１１ＭＢの電位と基準電位Ｂとの電位差を所定の電圧にするように低電位側可変電圧源１８０Ｂを調整する。具体的には、低電位側電圧マージン設定部１７５Ｂは、低電位側電位差検出回路１７０Ｂで検出された電位差を元に、電圧マージンＶＬｄｒｏｐを求める。そして、ピーク階調での（ＶＥＬ＋ＶＴＦＴ）電圧と、電圧マージンＶＬｄｒｏｐとを合計し、合計結果のＶＥＬ＋ＶＴＦＴ＋ＶＬｄｒｏｐの基準電位Ｂよりも低い電圧分を第１低電位側基準電圧ＶＬｒｅｆ１として低電位側可変電圧源１８０Ｂに出力する。
【０２８８】
高電位側可変電圧源１８０Ａは、本実施の形態における本発明の電源供給部であって、高電位側の電位を有機ＥＬ表示部３１０に出力する。この高電位側可変電圧源１８０Ａは、高電位側電圧マージン設定部１７５Ａから出力される第１高電位側基準電圧ＶＨｒｅｆ１により、モニタ用の発光画素１１１ＭＡの高電位側の電位と基準電位Ａとの電位差が所定の電圧（ＶＥＬ＋ＶＴＦＴ−基準電位Ａ）となるような高電位側出力電圧ＶＨｏｕｔを出力する。基準電位Ａとは、表示装置１００において基準となる電位であればよい。
【０２８９】
低電位側可変電圧源１８０Ｂは、本実施の形態における本発明の電源供給部であって、低電位側の電位を有機ＥＬ表示部３１０に出力する。この低電位側可変電圧源１８０Ｂは、低電位側電圧マージン設定部１７５Ｂから出力される第１低電位側基準電圧ＶＬｒｅｆ１により、モニタ用の発光画素１１１ＭＢの低電位側の電位と基準電位Ｂとの電位差が所定の電圧（基準電位Ｂ−ＶＥＬ−ＶＴＦＴ）となるような低電位側出力電圧ＶＬｏｕｔを出力する。
【０２９０】
モニタ用配線１９０Ａは、一端がモニタ用の発光画素１１１ＭＡに接続され、他端が高電位側電位差検出回路１７０Ａに接続され、有機ＥＬ表示部１１０のマトリクスの行方向または列方向に沿って配置された、モニタ用の発光画素１１１ＭＡに印加される高電位側の電位を高電位側電位差検出回路１７０Ａに伝達する高電位側の検出線である。
【０２９１】
モニタ用配線１９０Ｂは、一端がモニタ用の発光画素１１１ＭＢに接続され、他端が低電位側電位差検出回路１７０Ｂに接続され、有機ＥＬ表示部１１０のマトリクスの行方向または列方向に沿って配置された、モニタ用の発光画素１１１ＭＢに印加される低電位側の電位を低電位側電位差検出回路１７０Ｂに伝達する低電位側の検出線である。
【０２９２】
また、本実施の形態に係る高電位側可変電圧源１８０Ａ及び低電位側可変電圧源１８０Ｂの構成は、実施の形態１に係る可変電圧源１８０の構成と同様であり、低電位側可変電圧源１８０Ｂにおいて低電位側出力電圧ＶＬｏｕｔが負である場合には、図２０において、スイッチング素子ＳＷ、ダイオードＤ、インダクタＬ、及びコンデンサＣの配置を変更することにより、低電位側可変電圧源１８０Ｂの回路が構成される。
【０２９３】
また、本実施の形態に係る表示装置５００の動作フローについては、実施の形態１に係る表示装置５０の動作フローを説明する図５において、ステップＳ１４〜ステップＳ１８までの動作を、高電位側と低電位側とで並行して実行する。
【０２９４】
本実施の形態により、表示装置５００は、高電位側の第１電源配線抵抗Ｒ１ｈ及び第１電源配線抵抗Ｒ１ｖによる電圧降下、及び、低電位側の第２電源配線抵抗Ｒ２ｈ及び第２電源配線抵抗Ｒ２ｖによる電圧上昇を検出し、その電圧降下及び電圧上昇の程度を、それぞれ、高電位側可変電圧源１８０Ａ及び低電位側可変電圧源１８０Ｂにフィードバックすることで、余分な電圧を減らし、消費電力を削減することができる。
【０２９５】
また、消費電力を削減することにより有機ＥＬ素子１２１の発熱が抑えられるので、有機ＥＬ素子１２１の劣化を防止できる。
【０２９６】
さらに、本実施の形態に係る表示装置５００は、モニタ発光画素の高電位側の電位と基準電位との電位差に基づいて電源供給部の出力電圧を調整する場合と比較して、低電位側電源線の配線抵抗に比例した電圧上昇も考慮に入れた電圧マージンの設定が可能となるので、低電位側電源線の電圧分布の変化が激しい表示態様においては、より効果的に消費電力を削減することが可能となる。
【０２９７】
なお、本実施の形態では、一の発光画素の高電位側の電位と、当該発光画素とは異なる発光画素の低電位側の電位とをモニタすることにより、当該高電位側の電位と基準電位との電位差を所定の電位差へと調整し、また、当該低電位側の電位と基準電位との電位差を所定の電位差へと調整する表示装置を説明したが、高電位側の電位が検出される発光画素と低電位側の電位が検出される発光画素とは、同一の発光画素であってもよい。この場合でも、高電位側可変電圧源１８０Ａが当該高電位側の電位と基準電位との電位差を所定の電位差へと調整し、低電位側可変電圧源１８０Ｂが当該低電位側の電位と基準電位との電位差を所定の電位差へと調整する。
【０２９８】
また、本実施の形態では、一の発光画素の高電位側または低電位側の電位をモニタすることにより、当該高電位側の電位と基準電位との電位差、または、当該低電位側の電位と基準電位との電位差を所定の電位差へと調整する表示装置も、本発明に含まれる。
【０２９９】
この場合には、図３１における表示装置５００において、高電位側の電位を調整するための４つの構成要素は、モニタ用配線１９０Ａ、高電位側電位差検出回路１７０Ａ、高電位側可変電圧源１８０Ａ及び高電位側電圧マージン設定部１７５Ａであり、低電位側の電位を調整するための４つの構成要素は、モニタ用配線１９０Ｂ、低電位側電位差検出回路１７０Ｂ、低電位側可変電圧源１８０Ｂ及び低電位側電圧マージン設定部１７５Ｂでるが、高電位側の電位を調整するための４つの構成要素または低電位側の電位を調整するための４つの構成要素がなくてもよい。そして、発光画素１１１ＭＡまたは発光画素１１１ＭＢが、有機ＥＬ表示部５１０に配置される。
【０３００】
また、本実施の形態においても、有機ＥＬ表示部５１０におけるモニタ用配線のレイアウトについては、実施の形態１及びその第１〜第５の変形例において説明した配線レイアウトが適用される。
【０３０１】
上記配線レイアウトにより、発光画素の電位を検出するためのモニタ用配線を、従来からのマトリクス状の発光画素配置に変更を加えることなく配置することができる。
【０３０２】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０３０３】
（実施の形態７）
本実施の形態では、複数の発光画素の高電位側の電位をモニタすることにより、モニタされた複数の高電位側の電位から特定された高電位側の電位と基準電位との電位差を、所定の電位差へと調整する表示装置を説明する。
【０３０４】
以下、本発明の実施の形態７について、図を用いて具体的に説明する。
【０３０５】
図３４は、本発明の実施の形態７に係る表示装置の概略構成を示すブロック図である。      
【０３０６】
同図に示す表示装置６００は、有機ＥＬ表示部６１０と、データ線駆動回路１２０と、書込走査駆動回路１３０と、制御回路１４０と、ピーク信号検出回路１５０と、信号処理回路１６０と、高電位側電位差検出回路１７０Ａと、高電位側可変電圧源１８０Ａと、モニタ用配線１９１、１９２及び１９３と、電位比較回路４７０とを備える。
【０３０７】
本実施の形態に係る表示装置６００は、実施の形態２に係る表示装置１００と比較して、複数のモニタ用配線及び電位比較回路４７０を備える点が異なる。以下、実施の形態２と同じ点は説明を省略し、異なる点のみ説明する。
【０３０８】
有機ＥＬ表示部６１０は、有機ＥＬ表示部１１０とほぼ同じであるが、有機ＥＬ表示部１１０と比較して、検出点Ｍ１〜Ｍ３と１対１に対応して設けられ、対応する検出点の電位を測定するためのモニタ用配線１９１〜１９３が配置されている。
【０３０９】
モニタ用の発光画素１１１Ｍ１〜１１１Ｍ３は、第１電源配線１１２の配線方法、第１電源配線抵抗Ｒ１ｈ及びＲ１ｖの値に応じて、最適位置が決定される。
【０３１０】
モニタ用配線１９１〜１９３は、それぞれ、対応する検出点Ｍ１〜Ｍ３と、電位比較回路４７０とに接続され、対応する検出点Ｍ１〜Ｍ３の電位を、電位比較回路４７０に伝達し、有機ＥＬ表示部６１０のマトリクスの行方向または列方向に沿って配置された検出線である。これにより、電位比較回路４７０は、モニタ用配線１９１〜１９３を介して検出点Ｍ１〜Ｍ３の電位を測定できる。
【０３１１】
電位比較回路４７０は、モニタ用配線１９１〜１９３を介して検出点Ｍ１〜Ｍ３の電位を測定する。言い換えると、複数のモニタ用の発光画素１１１Ｍ１〜１１１Ｍ３に印加される高電位側の電位を測定する。さらに、測定した検出点Ｍ１〜Ｍ３の電位のうち最小の電位を選択し、選択した電位を高電位側電位差検出回路１７０Ａへ出力する。
【０３１２】
信号処理回路１６０は、電位比較回路４７０で選択された電位と基準電位との電位差に基づいて高電位側可変電圧源１８０Ａを調整する。その結果、高電位側可変電圧源１８０Ａは、複数のモニタ用の発光画素１１１Ｍ１〜１１１Ｍ３のいずれにおいても輝度の低下が生じないような出力電圧Ｖｏｕｔを、有機ＥＬ表示部６１０に供給する。
【０３１３】
以上のように、本実施の形態に係る表示装置６００は、電位比較回路４７０が、有機ＥＬ表示部６１０内における複数の発光画素１１１のそれぞれについて、印加される高電位側の電位を測定し、測定した複数の高電位側の電位のうち最小の電位を選択する。そして、高電位側電位差検出回路１７０Ａが、電位比較回路４７０で選択された最小の電位と基準電位との電位差と、高電位側可変電圧源１８０Ａの出力電圧Ｖｏｕｔとの電位差ΔＶを検出する。そして、信号処理回路１６０が検出された電位差ΔＶに応じて高電位側可変電圧源１８０Ａを調整する。
【０３１４】
これにより、高電位側可変電圧源１８０Ａの出力電圧Ｖｏｕｔをより適切に調整することが可能となる。よって、有機ＥＬ表示部を大型化した場合であっても、消費電力を効果的に削減できる。
【０３１５】
なお、本実施の形態に係る表示装置６００において、高電位側可変電圧源１８０Ａは本発明の電源供給部であり、有機ＥＬ表示部６１０は本発明の表示部であり、電位比較回路４７０の一部は本発明の電圧検出部であり、電位比較回路４７０の他部、高電位側電位差検出回路１７０Ａ及び信号処理回路１６０は本発明の電圧調整部である。
【０３１６】
また、表示装置６００では電位比較回路４７０と高電位側電位差検出回路１７０Ａとを別に設けていたが、電位比較回路４７０と高電位側電位差検出回路１７０Ａの代わりに、高電位側可変電圧源１８０Ａの出力電圧Ｖｏｕｔと検出点Ｍ１〜Ｍ３のそれぞれの電位とを比較する電位比較回路を備えてもよい。
【０３１７】
次に、本実施の形態に係る表示装置６００により奏される効果について説明する。
【０３１８】
図３５は、本発明の実施の形態７に係る表示装置の電位分布及び検出点配置を表す図である。図３５の左図では、高電位側の電源出力として１５Ｖを、また低電位側には接地電位である０Ｖが印加された場合の電位分布が示されている。高電位側の電位分布は、第１電源配線抵抗Ｒ１ｈと第１電源配線抵抗Ｒ１ｖとの比が１：１０と仮定しているため、表示パネルの垂直方向に激しい電位変化となっている。一方、低電位側の電位分布は、第２電源配線抵抗Ｒ２ｈと第２電源配線抵抗Ｒ２ｖとの比が１０：１と仮定しているが、表示パネル全体にわたり、小さい電位変化となっている。つまり、低電位側の電位分布は面内でほぼ均一になる傾向となっている。
【０３１９】
このような傾向のある場合には、例えば、極端な分布を持つ高電位側の電位分布のみを測定し、低電位側の電圧降下（上昇）量は、高電位側の電位分布に基づいて設定することが考えられる。図３５の例で言うと、高電位側の電位分布から検出される最大電圧降下量が３Ｖ（１５Ｖ−１２Ｖ）であるのに対し、その検出降下量（３Ｖ）の半分（１．５Ｖ）を、常に低電位側の電圧降下（上昇）量とみなすことである。
【０３２０】
図３５に表された特性を有する表示パネルでは、上述したように低電位側の電圧降下（上昇）量を測定せずとも大きなエラーは生じず、結果として低電位側の検出点を削減しつつ省電力効果が得られるメリットが有る。すなわち、設定した発光画素１１１Ｍ１〜１１１Ｍ３のそれぞれについて、高電位側の電位及び低電位側の電位を測定せずとも、発光画素１１１Ｍ１〜Ｍ３のそれぞれについて、高電位側の電位のみを測定すればよく、検出点が６点→３点に削減できる。これにより、モニタ用配線の配置を考慮に入れなければならない表示パネル内の設計が容易となり、また、モニタ用配線の追加による画質劣化を回避できる。
【０３２１】
さらに, 低電位側にはモニタ用配線が存在しなくなるので, 低電位側から光を射出するようなパネル形態の場合は, モニタ用配線に起因する線欠陥が視認されにくくなるというメリットもある。
【０３２２】
なお、同図には、３つの検出点Ｍ１〜Ｍ３が図示されているが、検出点は複数であればよく、電源配線の配線方法、配線抵抗の値に応じて、最適位置及び点数を決定すればよい。
【０３２３】
また、本実施の形態においても、有機ＥＬ表示部６１０におけるモニタ用配線のレイアウトについては、実施の形態１及びその第１〜第５の変形例において説明した配線レイアウトが適用される。
【０３２４】
上記配線レイアウトにより、発光画素の電位を検出するためのモニタ用配線を、従来からのマトリクス状の発光画素配置に変更を加えることなく配置することができる。
【０３２５】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０３２６】
また、モニタ用配線１９１〜１９３は、隣り合うモニタ用配線どうしの間隔が互いに同一となるよう配置されていることが好ましい。これにより、モニタ用配線の間隔が等しくなるように配置されるので、有機ＥＬ表示部６１０の配線レイアウトに周期性を持たせることができ、製造効率が向上する。
【０３２７】
（実施の形態８）
本実施の形態に係る表示装置は、高電位側及び低電位側の出力電位を出力する電源供給部と、複数の発光画素がマトリクス状に配置され当該電源供給部から電源供給を受ける表示部と、当該表示部内における第１の発光画素または第２の発光画素に一端が接続され、上記マトリクスの行方向または列方向に沿って配置された、発光画素に印加される高電位側の電位または低電位側の電位を伝達するための検出線と、第１の発光画素の高電位側の印加電位と第２の発光画素の低電位側の印加電位との電位差が所定の電位差となるように、電源供給部から出力される高電位側及び低電位側の出力電位の少なくとも一方を調整する信号処理回路とを備える。
【０３２８】
これにより、本実施の形態に係る表示装置は、高い消費電力低減効果を実現する。
【０３２９】
以下、本発明の実施の形態８について、図を用いて具体的に説明する。
【０３３０】
図３６は、本発明の実施の形態８に係る表示装置の概略構成を示すブロック図である。
【０３３１】
同図に示す表示装置７００は、有機ＥＬ表示部５１０と、データ線駆動回路１２０と、書込走査駆動回路１３０と、制御回路１４０と、ピーク信号検出回路１５０と、信号処理回路１６０と、電位差検出回路１７０と、可変電圧源１８０と、モニタ用配線１９０Ａ及び１９０Ｂとを備える。
【０３３２】
本実施の形態に係る表示装置７００は、実施の形態２に係る表示装置１００と比較して、異なる発光画素に配置された２本のモニタ用配線により、それぞれ高電位側の電位及び低電位側の電位を測定する点が異なる。以下、実施の形態２と同じ点は説明を省略し、異なる点のみ説明する。
【０３３３】
本実施の形態に係る有機ＥＬ表示部５１０の構成は、図３２に記載された実施の形態６に係る有機ＥＬ表示部５１０の構成と同じである。
【０３３４】
図３７Ａは、高電位側のモニタ用配線１９０Ａに接続された発光画素１１１ＭＡの回路構成図であり、図３７Ｂは、低電位側のモニタ用配線１９０Ｂに接続された発光画素１１１ＭＢの回路構成図である。マトリクス状に配置された発光画素のそれぞれは、駆動素子と発光素子とを含み、駆動素子は、ソース電極及びドレイン電極を含み、発光素子は、第１の電極及び第２の電極を含み、当該第１の電極が駆動素子のソース電極及びドレイン電極の一方に接続され、ソース電極及びドレイン電極の他方と第２の電極との一方に高電位側の電位が印加され、ソース電極及びドレイン電極の他方と第２の電極との他方に低電位側の電位が印加される。具体的には、モニタ用の発光画素１１１ＭＡは、駆動素子のソース電極及びドレイン電極の他方にモニタ用配線１９０Ａが接続されており、モニタ用の発光画素１１１Ｂは、さらに、発光素子の第２の電極にモニタ用配線１９０Ｂが接続されている。発光画素１１１ＭＡ及び１１１ＭＢは、それぞれ、有機ＥＬ表示部１１０に少なくとも１つ配置される。また、モニタ用の発光画素１１１ＭＡにおいて、駆動トランジスタ１２５のソース電極はモニタ用配線１９０Ａと接続されている。一方、モニタ用の発光画素１１１ＭＢにおいて、有機ＥＬ素子１２１のカソード電極は発光画素１１１ＭＢの陰極であり、モニタ用配線１９０Ｂと接続されている。
【０３３５】
信号処理回路１６０は、本実施の形態における本発明の電圧調整部であって、ピーク信号検出回路１５０から出力されたピーク信号と、電位差検出回路１７０で検出された電位差ΔＶとから、モニタ用の発光画素１１１ＭＡの高電位側の電位とモニタ用の発光画素１１１ＭＢの低電位側の電位との電位差である画素間電位差を、所定の電位差にするように可変電圧源１８０を調整する。具体的には、信号処理回路１６０は、ピーク信号検出回路１５０から出力されたピーク信号で発光画素１１１を発光させた場合に、有機ＥＬ素子１２１と駆動トランジスタ１２５とに必要な電圧を決定する。また、信号処理回路１６０は、電位差検出回路１７０で検出された電位差を元に、電圧マージンを求める。そして、決定した、有機ＥＬ素子１２１に必要な電圧ＶＥＬと、駆動トランジスタ１２５に必要な電圧ＶＴＦＴと、電圧マージンＶｄｒｏｐとを合計し、合計結果のＶＥＬ＋ＶＴＦＴ＋Ｖｄｒｏｐを第１基準電圧Ｖｒｅｆ１の電圧として可変電圧源１８０に出力する。
【０３３６】
電位差検出回路１７０は、本実施の形態における本発明の電圧検出部であって、モニタ用の発光画素１１１ＭＡに印加される高電位側の電位、及び、モニタ用の発光画素１１１ＭＢに印加される低電位側の電位を測定する。具体的には、電位差検出回路１７０は、モニタ用の発光画素１１１ＭＡに印加される高電位側の電位を、モニタ用配線１９０Ａを介して測定し、モニタ用の発光画素１１１ＭＢに印加される低電位側の電位を、モニタ用配線１９０Ｂを介して測定する。そして、電位差検出回路１７０は、測定されたモニタ用の発光画素１１１ＭＡの高電位側の電位とモニタ用の発光画素１１１ＭＢの低電位側の電位との電位差である画素間電位差を算出する。さらに、電位差検出回路１７０は、可変電圧源１８０の出力電圧を測定し、当該出力電圧と算出された画素間電位差との電位差ΔＶを測定する。そして、測定した電位差ΔＶを信号処理回路１６０へ出力する。
【０３３７】
可変電圧源１８０は、本実施の形態における本発明の電源供給部であって、高電位側の電位及び低電位側の電位の少なくとも一方を有機ＥＬ表示部１１０に出力する。この可変電圧源１８０は、信号処理回路１６０から出力される第１基準電圧Ｖｒｅｆ１により、モニタ用の発光画素１１１ＭＡ及び１１１ＭＢから検出された画素間電位差が所定の電圧（ＶＥＬ＋ＶＴＦＴ）となるような出力電圧Ｖｏｕｔを出力する。
【０３３８】
モニタ用配線１９０Ａは、一端がモニタ用の発光画素１１１ＭＡに接続され、他端が電位差検出回路１７０に接続され、有機ＥＬ表示部５１０のマトリクスの行方向または列方向に沿って配置された、モニタ用の発光画素１１１ＭＡに印加される高電位側の電位を電位差検出回路１７０に伝達する高電位側の検出線である。
【０３３９】
モニタ用配線１９０Ｂは、一端がモニタ用の発光画素１１１ＭＢに接続され、他端が電位差検出回路１７０に接続され、有機ＥＬ表示部５１０のマトリクスの行方向または列方向に沿って配置された、モニタ用の発光画素１１１ＭＢに印加される低電位側の電位を電位差検出回路１７０に伝達する低電位側の検出線である。
【０３４０】
次に、上述した表示装置７００の動作について図２１により説明する。
【０３４１】
まず、ピーク信号検出回路１５０は、表示装置７００に入力された１フレーム期間の映像データを取得する（ステップＳ１１）。
【０３４２】
次に、ピーク信号検出回路１５０は、取得した映像データのピーク値を検出（ステップＳ１２）し、検出したピーク値を示すピーク信号を信号処理回路１６０へ出力する。
【０３４３】
次に、信号処理回路１６０は、ピーク信号検出回路１５０から出力されたピーク値で有機ＥＬ素子１２１を発光させた場合の駆動トランジスタ１２５に必要な電圧ＶＴＦＴと、有機ＥＬ素子１２１に必要な電圧ＶＥＬとを決定する（ステップＳ１３）。
【０３４４】
一方、電位差検出回路１７０は、検出点ＭＡ及びＭＢの電位を、それぞれ、モニタ用配線１９０Ａ及び１９０Ｂを介して検出し、検出点ＭＡの電位とＭＢの電位との電位差である画素間電位差を算出する（ステップＳ１４）。
【０３４５】
次に、電位差検出回路１７０は、可変電圧源１８０の出力端子１８４の出力電圧と、上記画素間電位差との電位差ΔＶを検出する（ステップＳ１５）。そして、検出した電位差ΔＶを信号処理回路１６０へ出力する。なお、ここまでのステップＳ１１〜Ｓ１５は、本発明の電位測定処理に相当する。
【０３４６】
次に、信号処理回路１６０は、電位差検出回路１７０から出力された電位差信号から、電位差検出回路１７０が検出した電位差ΔＶに対応する電圧マージンＶｄｒｏｐを決定する（ステップＳ１６）。
【０３４７】
次に、信号処理回路１６０は、次のフレーム期間に可変電圧源１８０に出力させる出力電圧Ｖｏｕｔを決定する（ステップＳ１７）。具体的には、次のフレーム期間に可変電圧源１８０に出力させる出力電圧Ｖｏｕｔを、有機ＥＬ素子１２１と駆動トランジスタ１２５に必要な電圧の決定（ステップＳ１３）で決定されたＶＴＦＴ＋ＶＥＬと電位差ΔＶに対応する電圧マージンの決定（ステップＳ１５）で決定された電圧マージンＶｄｒｏｐとの合計値であるＶＴＦＴ＋ＶＥＬ＋Ｖｄｒｏｐとする。
【０３４８】
最後に、信号処理回路１６０は、次のフレーム期間の最初に、第１基準電圧Ｖｒｅｆ１をＶＴＦＴ＋ＶＥＬ＋Ｖｄｒｏｐとすることにより、可変電圧源１８０を調整する（ステップＳ１８）。これにより、次のフレーム期間において、可変電圧源１８０は、Ｖｏｕｔ＝ＶＴＦＴ＋ＶＥＬ＋Ｖｄｒｏｐとして、有機ＥＬ表示部１１０へ供給する。なお、ステップＳ１６〜ステップＳ１８は、本発明の電圧調整処理に相当する。
【０３４９】
このように、本実施の形態に係る表示装置７００は、高電位側の電位及び低電位側の電位の少なくとも一方を出力する可変電圧源１８０と、異なる２つのモニタ用の発光画素１１１ＭＡ及び１１１ＭＢに印加される電位から画素間電位差を算出し可変電圧源１８０の出力電圧Ｖｏｕｔを測定する電位差検出回路１７０と、上記画素間電位差を所定の電圧（ＶＴＦＴ＋ＶＥＬ）にするように可変電圧源１８０を調整する信号処理回路１６０とを含む。また、電位差検出回路１７０は、さらに、測定した高電位側の出力電圧Ｖｏｕｔと上記画素間電位差との電位差を検出し、信号処理回路１６０は、電位差検出回路１７０で検出された電位差に応じて可変電圧源１８０を調整する。
【０３５０】
これにより、表示装置７００は、水平方向の第１電源配線抵抗Ｒ１ｈ及び垂直方向の第１電源配線抵抗Ｒ１ｖによる電圧降下、及び、水平方向の第２電源配線抵抗Ｒ２ｈ及び垂直方向の第２電源配線抵抗Ｒ１ｖによる電圧上昇を検出し、その電圧降下及び電圧上昇の程度を可変電圧源１８０にフィードバックすることで、余分な電圧を減らし、消費電力を削減することができる。
【０３５１】
さらに、本実施の形態に係る表示装置７００は、発光画素に印加される高電位側の電位及び低電位側の電位を、同一のモニタ用の発光画素から検出する場合と比較して、高電位側電源線の配線抵抗分布と低電位側電源線の配線抵抗分布が異なる表示態様においては、より効果的に消費電力を削減することが可能となる。
【０３５２】
また、消費電力を削減することにより有機ＥＬ素子１２１の発熱が抑えられるので、有機ＥＬ素子１２１の劣化を防止できる。
【０３５３】
また、本実施の形態においても、有機ＥＬ表示部５１０におけるモニタ用配線のレイアウトについては、実施の形態１及びその第１〜第５の変形例において説明した配線レイアウトが適用される。
【０３５４】
上記配線レイアウトにより、発光画素の電位を検出するためのモニタ用配線を、従来からのマトリクス状の発光画素配置に変更を加えることなく配置することができる。
【０３５５】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０３５６】
（実施の形態９）
本実施の形態に係る表示装置は、実施の形態８に係る表示装置７００とほぼ同じであるが、電位差検出回路１７０を備えず、検出点ＭＡと検出点ＭＢとの電位差を算出する画素間電位差算出回路を備え、算出された画素間電位差が可変電圧源に入力される点が異なる。また、信号処理回路は、可変電圧源に出力する電圧を必要電圧ＶＴＦＴ＋ＶＥＬとする点が異なる。これにより、本実施の形態に係る表示装置は、電圧降下量に応じてリアルタイムに可変電圧源の出力電圧Ｖｏｕｔを調整できるので、実施の形態７と比較して、画素輝度の一時的な低下を防止できる。
【０３５７】
図３８は、本発明の実施の形態９に係る表示装置の概略構成を示すブロック図である。
【０３５８】
同図に示す本実施の形態に係る表示装置８００は、図３６に示した実施の形態８に係る表示装置７００と比較して、電位差検出回路１７０を備えず、検出点ＭＡと検出点ＭＢとの電位差を算出する画素間電位差算出回路１７１を備え、信号処理回路１６０に代わり信号処理回路２６０を備え、可変電圧源１８０に代わり可変電圧源２８０を備える点が異なる。以下、実施の形態８と同じ点は説明を省略し、異なる点のみ説明する。
【０３５９】
信号処理回路２６０は、ピーク信号検出回路１５０から出力されたピーク信号から、可変電圧源２８０に出力する第２基準電圧Ｖｒｅｆ２の電圧を決定する。具体的には、信号処理回路２６０は、必要電圧換算テーブルを用いて、有機ＥＬ素子１２１に必要な電圧ＶＥＬと駆動トランジスタ１２５に必要な電圧ＶＴＦＴとの合計ＶＴＦＴ＋ＶＥＬを決定する。そして、決定したＶＴＦＴ＋ＶＥＬを第２基準電圧Ｖｒｅｆ２の電圧とする。
【０３６０】
このように、本実施の形態に係る表示装置８００の信号処理回路２６０が可変電圧源２８０に出力する第２基準電圧Ｖｒｅｆ２は、実施の形態８に係る表示装置７００の信号処理回路１６０が可変電圧源１８０に出力する第１基準電圧Ｖｒｅｆ１と異なり、映像データのみに対応して決定される電圧である。つまり、第２基準電圧Ｖｒｅｆ２は、可変電圧源２８０の出力電圧Ｖｏｕｔと上記画素間電位差との電位差ΔＶに依存しない。
【０３６１】
画素間電位差算出回路１７１は、モニタ用の発光画素１１１ＭＡに印加される高電位側の電位を、モニタ用配線１９０Ａを介して測定し、また、モニタ用の発光画素１１１ＭＢに印加される低電位側の電位を、モニタ用配線１９０Ｂを介して測定する。そして、測定された検出点ＭＡの電位と検出点ＭＢの電位との電位差である画素間電位差を算出する。
【０３６２】
可変電圧源２８０は、上記画素間電位差を画素間電位差算出回路１７１から入力する。そして、入力された画素間電位差と、信号処理回路２６０から出力された第２基準電圧Ｖｒｅｆ２とに応じて、出力電圧Ｖｏｕｔを調整する。
【０３６３】
モニタ用配線１９０Ａは、一端が検出点ＭＡに接続され、他端が画素間電位差算出回路１７１に接続され、有機ＥＬ表示部５１０のマトリクスの行方向または列方向に沿って配置された、検出点ＭＡの電位を画素間電位差算出回路１７１に伝達する高電位側の検出線である。
【０３６４】
モニタ用配線１９０Ｂは、一端が検出点ＭＢに接続され、他端が画素間電位差算出回路１７１に接続され、有機ＥＬ表示部５１０のマトリクスの行方向または列方向に沿って配置された、検出点ＭＢの電位を画素間電位差算出回路１７１に伝達する低電位側の検出線である。
【０３６５】
図３９は、実施の形態９に係る可変電圧源２８０の具体的な構成の一例を示すブロック図である。なお、同図には可変電圧源に接続されている有機ＥＬ表示部５１０及び信号処理回路２６０も示されている。
【０３６６】
同図に示す可変電圧源２８０は、図２０に示した可変電圧源１８０の構成とほぼ同じであるが、比較回路１８１に代わり、画素間電位差算出回路１７１から出力された画素間電位差と第２基準電圧Ｖｒｅｆ２とを比較する比較回路２８１を備える点が異なる。
【０３６７】
ここで、可変電圧源２８０の出力電圧をＶｏｕｔとし、可変電圧源２８０の出力端子１８４から検出点ＭＡ及びＭＢでの電圧降下量をΔＶとすると、検出点ＭＡ及びＭＢでの画素間電位差はＶｏｕｔ−ΔＶとなる。つまり、本実施の形態において、比較回路２８１はＶｒｅｆ２とＶｏｕｔ−ΔＶとを比較している。上述したように、Ｖｒｅｆ２＝ＶＴＦＴ＋ＶＥＬなので、比較回路２８１はＶＴＦＴ＋ＶＥＬとＶｏｕｔ−ΔＶとを比較していると言える。
【０３６８】
一方、実施の形態８において、比較回路１８１はＶｒｅｆ１とＶｏｕｔとを比較している。上述したように、Ｖｒｅｆ１＝ＶＴＦＴ＋ＶＥＬ＋ΔＶなので、実施の形態８において、比較回路１８１はＶＴＦＴ＋ＶＥＬ＋ΔＶとＶｏｕｔとを比較していると言える。
【０３６９】
よって、比較回路２８１は、比較回路１８１と比較対象が異なるが、比較結果は同じである。つまり、実施の形態８と実施の形態９とで、可変電圧源２８０の出力端子１８４から検出点ＭＡ及びＭＢまでの電圧降下量が等しい場合、比較回路１８１がＰＷＭ回路に出力する電圧と、比較回路２８１がＰＷＭ回路に出力する電圧とは同じである。その結果、可変電圧源１８０の出力電圧Ｖｏｕｔと可変電圧源２８０の出力電圧Ｖｏｕｔとは等しくなる。また、実施の形態９においても、電位差ΔＶと出力電圧Ｖｏｕｔとは増加関数の関係となっている。
【０３７０】
以上のように構成された表示装置８００は、実施の形態８に係る表示装置７００と比較して、出力端子１８４の出力電圧と検出点ＭＡ及びＭＢの画素間電位差との電位差ΔＶに応じて出力電圧Ｖｏｕｔをリアルタイムに調整できる。なぜならば、実施の形態８に係る表示装置７００においては、信号処理回路１６０から各フレーム期間の最初にだけ、当該フレームにおける第１基準電圧Ｖｒｅｆ１の変更がされていた。一方、本実施の形態に係る表示装置２００においては、信号処理回路２６０を介さずに、可変電圧源２８０の比較回路１８１に直接ΔＶに依存した電圧、つまりＶｏｕｔ−ΔＶ、が入力されることにより、信号処理回路２６０の制御に依存せずにＶｏｕｔを調整することができるからである。
【０３７１】
よって、可変電圧源２８０は、電位差ΔＶの増大に応じてＶｏｕｔをリアルタイムに上昇する。
【０３７２】
これにより、明るく表示されている領域の発光画素１１１である、有機ＥＬ表示部５１０の中心部の発光画素１１１の電源電圧の不足は解消する。つまり、画素輝度の低下を解消する。
【０３７３】
以上のように、本実施の形態に係る表示装置８００において、信号処理回路２６０と、可変電圧源２８０の誤差増幅器１８６、ＰＷＭ回路１８２及びドライブ回路１８３は、出力検出部１８５で測定された画素間電位差算出回路１７１からの画素間電位差と、所定の電圧との電位差を検出し、検出した電位差に応じてスイッチング素子ＳＷを調整する。これにより、本実施の形態に係る表示装置８００は、実施の形態８に係る表示装置７００と比較して、電圧降下量に応じてリアルタイムに可変電圧源２８０の出力電圧Ｖｏｕｔを調整できるので、実施の形態８と比較して、画素輝度の一時的な低下を防止できる。
【０３７４】
なお、本実施の形態において、有機ＥＬ表示部５１０は本発明の表示部であり、画素間電位差算出回路１７１及び出力検出部１８５は本発明の電圧検出部であり、図３９において一点鎖線で囲まれている、信号処理回路２６０と、可変電圧源２８０の誤差増幅器１８６、ＰＷＭ回路１８２及びドライブ回路１８３とは本発明の電圧調整部であり、図３９において２点鎖線で囲まれている、スイッチング素子ＳＷ、ダイオードＤ、インダクタＬ及びコンデンサＣは本発明の電源供給部である。
【０３７５】
なお、実施の形態１〜９では、発光画素に印加された電圧と、可変電圧源から出力された電圧との電位差に基づいて、可変電圧源からの出力電圧を調整している。この場合には、可変電圧源から発光画素までの電流径路は、表示領域外の配線経路と発光画素が配置された表示領域内の配線経路とを含んでいる。つまり、上述した実施の形態１〜９では、発光画素に印加された電圧と可変電圧源から出力された電圧との電位差を検出することにより、表示領域内と表示領域外との双方における電圧降下量に応じて可変電圧源からの出力電圧を調整している。これに対し、発光画素に印加された電圧と、表示領域外の配線経路上における電圧との電位差を検出することにより、表示領域内のみにおける電圧降下量に応じて可変電圧源からの出力電圧を調整することが可能となる。これについて、以下、実施の形態６〜９に係る表示装置を例示し、図４０Ａ及び図４０Ｂを用いて説明する。
【０３７６】
図４０Ａは、本発明の表示装置が有する表示パネルの構成概略図である。また、図４０Ｂは、本発明の表示装置が有する表示パネルの外周付近の構成を模式的に示す斜視図である。図４０Ａにおいて、複数の発光画素１１１がマトリクス状に配置された表示パネルの外周部には、書込走査駆動回路やデータ線駆動回路などのドライバーと、高電位側電源線と、低電位側電源線と、外部機器との電気接続をするインターフェイスであるフレキパッドとが配置されている。可変電圧源は、高電位側電源線とフレキパッド、及び、低電位側電源線とフレキパッド、を介して表示パネルに接続されている。図４０Ｂに示すように、表示領域外にも抵抗成分が存在し、当該抵抗成分は上記フレキパッド、高電位側電源線及び低電位側電源線によるものである。
【０３７７】
前述した実施の形態６及び７では、例えば、発光画素ＭＡの電圧と高電位側可変電圧源の出力点ＺＡの電圧との電位差を検出するものであるが、表示領域内のみの電圧降下量に応じた可変電圧源からの出力電圧調整を目的として、発光画素ＭＡの電圧と、表示パネル及び高電位側電源線の接続点ＹＡの電圧との電位差を検出することとしてもよい。これにより、表示領域内のみにおける電圧降下量に応じて、可変電圧源の出力電圧を調整することが可能となる。また、低電位側についても、発光画素ＭＢの電圧と、表示パネル及び低電位側電源線の接続点ＹＢの電圧との電位差を検出することとしてもよい。
【０３７８】
また、前述した実施の形態８及び９では、検出点ＭＡの電位及び検出点ＭＢの電位の画素間電位差と可変電圧源の高電位側の出力点ＺＡの電圧及び低電位側の出力点ＺＢの電源電位差とを検出し、当該画素間電位差と当該電源電位差との電位差ΔＶにより、可変電圧源の出力電圧を調整するものである。これに対し、表示領域内のみの電圧降下量に応じた可変電圧源からの出力電圧調整を目的として、検出点ＭＡ及びＭＢの画素間電位差と、表示パネル及び高電位側電源線の接続点ＹＡ及び低電位側電源線の接続点ＹＢの電位差である電流径路上電位差との電位差を検出することとしてもよい。これにより、表示領域内のみにおける電圧降下量に応じて、可変電圧源の出力電圧を調整することが可能となる。
【０３７９】
また、本実施の形態においても、有機ＥＬ表示部５１０におけるモニタ用配線のレイアウトについては、実施の形態１及びその第１〜第５の変形例において説明した配線レイアウトが適用される。
【０３８０】
上記配線レイアウトにより、発光画素の電位を検出するためのモニタ用配線を、従来からのマトリクス状の発光画素配置に変更を加えることなく配置することができる。
【０３８１】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０３８２】
（実施の形態１０）
本実施の形態では、複数の発光画素の高電位側の電位をモニタすることにより、モニタされた複数の高電位側の電位から特定された高電位側の電位と低電位側の電位との電位差を、所定の電位差へと調整する表示装置を説明する。
【０３８３】
以下、本発明の実施の形態１０について、図を用いて具体的に説明する。
【０３８４】
図４１は、本発明の実施の形態１０に係る表示装置の概略構成を示すブロック図である。  同図に示す表示装置９００は、有機ＥＬ表示部９１０と、データ線駆動回路１２０と、書込走査駆動回路１３０と、制御回路１４０と、ピーク信号検出回路１５０と、信号処理回路１６０と、電位差検出回路１７０と、可変電圧源１８０と、モニタ用配線１９１Ａ、１９１Ｂ、１９２Ａ及び１９３Ａと、電位比較回路３７０とを備える。
【０３８５】
本実施の形態に係る表示装置９００は、実施の形態８に係る表示装置７００と比較して、発光画素の高電位側の電位を検出するための複数のモニタ用配線及び電位比較回路３７０を備える点が異なる。以下、実施の形態８と同じ点は説明を省略し、異なる点のみ説明する。
【０３８６】
有機ＥＬ表示部９１０は、有機ＥＬ表示部５１０とほぼ同じであるが、有機ＥＬ表示部５１０と比較して、検出点Ｍ１Ａ、Ｍ２、Ｍ３の高電位側の電位を、それぞれ測定するためのモニタ用配線１９１Ａ〜１９３Ａと、検出点Ｍ１Ｂの低電位側の電位を測定するためのモニタ用配線１９１Ｂとが配置されている。なお、検出点Ｍ１Ａ及びＭ１Ｂは、例えば、同一のモニタ用の発光画素１１１Ｍ１における高電位側及び低電位側の電位測定点である。
【０３８７】
モニタ用の発光画素１１１Ｍ１〜１１１Ｍ３は、第１電源配線１１２及び第２電源配線１１３の配線方法、第１電源配線抵抗Ｒ１ｈ及びＲ１ｖならびに第２電源配線抵抗Ｒ２ｈ及びＲ２ｖの値に応じて、最適位置が決定される。
【０３８８】
モニタ用配線１９１Ａ、１９１Ｂ、１９２Ａ及び１９３Ａは、それぞれ、対応する検出点Ｍ１Ａ、Ｍ１Ｂ、Ｍ２、Ｍ３と、電位比較回路３７０とに接続され、対応する検出点の電位を電位比較回路３７０に伝達し、有機ＥＬ表示部５１０のマトリクスの行方向または列方向に沿って配置された検出線である。
【０３８９】
電位比較回路３７０は、モニタ用配線１９１Ａ、１９１Ｂ、１９２Ａ及び１９３Ａを介して、対応する上記検出点の電位を測定する。言い換えると、複数のモニタ用の発光画素１１１Ｍ１〜１１１Ｍ３に印加される高電位側の電位及びモニタ用の発光画素１１１Ｍ１に印加される低電位側の電位を測定する。さらに、測定した検出点Ｍ１Ａ、Ｍ２、Ｍ３の高電位側の電位のうち最小の電位を選択し、選択した電位を電位差検出回路１７０へ出力する。なお、測定した低電位側の電位が複数存在する場合には、これらのうち最大の電位を選択し、選択した電位を電位差検出回路１７０へ出力する。本実施の形態では、測定した低電位側の電位が１つであるため、当該電位をそのまま電位差検出回路１７０へ出力する。
【０３９０】
電位差検出回路１７０は、本実施の形態における本発明の電圧検出部であって、測定された検出点Ｍ１Ａ、Ｍ２、Ｍ３の高電位側の電位のうち最小の電位、及び、検出点Ｍ１Ｂの低電位側の電位を電位比較回路３７０から入力する。そして、電位差検出回路１７０は、測定された検出点Ｍ１Ａ、Ｍ２、Ｍ３の高電位側の電位のうち最小の電位と検出点Ｍ１Ｂの低電位側の電位との画素間電位差を算出する。さらに、電位差検出回路１７０は、可変電圧源１８０の出力電圧を測定し、当該出力電圧と算出された画素間電位差との電位差ΔＶを測定する。そして、測定した電位差ΔＶを信号処理回路１６０へ出力する。
【０３９１】
信号処理回路１６０は、上記電位差ΔＶに基づいて可変電圧源１８０を調整する。その結果、可変電圧源１８０は、複数のモニタ用の発光画素１１１Ｍ１〜１１１Ｍ３のいずれにおいても輝度の低下が生じないような出力電圧Ｖｏｕｔを、有機ＥＬ表示部９１０に供給する。
【０３９２】
以上のように、本実施の形態に係る表示装置９００は、電位比較回路３７０により有機ＥＬ表示部９１０内における複数の発光画素１１１のそれぞれについて、印加される高電位側の電位が測定され、測定された複数の高電位側の電位のうち最小の電位が選択される。また、電位比較回路３７０により、有機ＥＬ表示部９１０内における複数の発光画素１１１のそれぞれについて、印加される低電位側の電位を測定し、測定された複数の低電位側の電位のうち最大の電位が選択される。そして、電位差検出回路１７０が、電位比較回路３７０で選択された高電位側の最小の電位と低電位側の最大の電位との画素間電位差と、可変電圧源１８０の出力電圧Ｖｏｕｔとの電位差ΔＶを検出する。そして、信号処理回路１６０により、上記電位差ΔＶに応じて可変電圧源１８０が調整される。
【０３９３】
これにより、可変電圧源１８０の出力電圧Ｖｏｕｔをより適切に調整することが可能となる。よって、有機ＥＬ表示部を大型化した場合であっても、消費電力を効果的に削減できる。
【０３９４】
なお、本実施の形態に係る表示装置９００において、可変電圧源１８０は本発明の電源供給部であり、有機ＥＬ表示部９１０は本発明の表示部であり、電位比較回路３７０の一部は本発明の電圧検出部であり、電位比較回路３７０の他部、電位差検出回路１７０及び信号処理回路１６０は本発明の電圧調整部である。
【０３９５】
また、表示装置９００では、電位比較回路３７０と電位差検出回路１７０とを別に設けていたが、電位比較回路３７０と電位差検出回路１７０の代わりに、可変電圧源１８０の出力電圧Ｖｏｕｔと検出点Ｍ１Ａ、Ｍ２、Ｍ３のそれぞれの電位とを比較する電位比較回路を備えてもよい。
【０３９６】
次に、本実施の形態に係る表示装置９００により奏される効果について説明する。
【０３９７】
図４２は、本発明の実施の形態１０に係る表示装置の電位分布及び検出点配置を表す図である。図４２の左図では、高電位側の電源出力として１５Ｖを、また低電位側には接地電位である０Ｖが印加された場合の電位分布が示されている。高電位側の電位分布は、第１電源配線抵抗Ｒ１ｈと第１電源配線抵抗Ｒ１ｖとの比が１：１０と仮定しているため、表示パネルの垂直方向に激しい電位変化となっている。一方、低電位側の電位分布は、第２電源配線抵抗Ｒ２ｈと第２電源配線抵抗Ｒ２ｖとの比が１０：１と仮定しているが、表示パネル全体にわたり、小さい電位変化となっている。つまり、低電位側の電位分布は面内でほぼ均一になる傾向となっている。また、発光画素を飽和動作させるために必要な電圧は１０Ｖであると仮定する。
【０３９８】
このような表示傾向において、例えば、表示パネルの中央に配置された発光画素Ａ０のみの高電位側と低電位側の電位差を検出することにより、可変電圧源の出力電圧を調整する場合を考える。 
【０３９９】
図４２の左図において、高電位側と低電位側の電位差が最小となる場所は、表示パネルの上下の端に近い位置となっており、これらの位置において当該電位差は略１０．５Ｖ（１２Ｖ−１．５Ｖ）となっている。よって、本来削減可能な電圧は０．５Ｖ（１０．５Ｖ−必要電圧１０Ｖ）である。
【０４００】
ところが、検出点が表示パネルの中心点に位置する発光画素Ａ０のみの場合、測定される画素間電位差は、１２．５Ｖ（１４Ｖ−１．５Ｖ）と検出され、その結果、削減できる電圧が２．５Ｖ（１２．５Ｖ−必要電圧１０Ｖ）もあると誤検出をしてしまう。
【０４０１】
上記誤検出を防ぐためには、高電位側の電位を検出する発光画素を、図４２の右図に表された発光画素Ａ０〜Ａ２の３箇所とし、低電位側の電位を検出する発光画素を、発光画素Ａ０の１箇所とし、これらの合計４箇所に検出点を配置していれば、最小の画素間電位差が解るので誤検出を防ぐことができる。
【０４０２】
また、上述した誤検出のない正確な削減電圧の検出を、従来手法により実施する場合、高電位側の電位と低電位側の電位とを、必ず同じ発光画素で検出するため、発光画素Ａ０〜Ａ２のそれぞれについて高電位側の電位と低電位側の電位とを測定する必要があり、合計６点での測定が必要となる。
【０４０３】
これに対し、本発明の実施の形態１０に係る表示装置９００では、高電位側の電位を検出する複数の発光画素のうち一の発光画素と低電位側の電位を検出する発光画素とは別の発光画素であるので、理想的には、４箇所の検出点を設けるだけでよいというメリットを有する。
【０４０４】
よって、高電位側及び低電位側で別々の発光画素の電位をモニタすることにより, 誤検出による必要以上の電源電圧の低減を回避でき、少ない検出点で省電力制御の精度を高めることができる。
【０４０５】
なお、同図には、高電位側の電位測定点として３つの検出点が図示されているが、当該検出点は複数であればよく、電源配線の配線方法、配線抵抗の値に応じて、最適位置及び点数を決定すればよい。
【０４０６】
また、本実施の形態においても、有機ＥＬ表示部９１０におけるモニタ用配線のレイアウトについては、実施の形態１及びその第１〜第５の変形例において説明した配線レイアウトが適用される。
【０４０７】
上記配線レイアウトにより、発光画素の電位を検出するためのモニタ用配線を、従来からのマトリクス状の発光画素配置に変更を加えることなく配置することができる。
【０４０８】
よって、モニタ用配線によって画素ピッチが変わらず、モニタ用配線が配置された部分における発光画素の境界部が線欠陥となって視認されないので、表示品質を維持しつつ、消費電力低減効果の高い表示装置を実現できる。
【０４０９】
また、モニタ用配線１９１Ａ〜１９３Ａは、隣り合うモニタ用配線どうしの間隔が互いに同一となるよう配置されていることが好ましい。これにより、モニタ用配線の間隔が等しくなるように配置されるので、有機ＥＬ表示部９１０の配線レイアウトに周期性を持たせることができ、製造効率が向上する。
【０４１０】
以上、本発明に係る表示装置について実施に形態に基づき説明したが、本発明に係る表示装置は、上述した実施の形態に限定されるものではない。実施の形態１〜１０に対して、本発明の主旨を逸脱しない範囲で当業者が思いつく各種変形を施して得られる変形例や、本発明に係る表示装置を内蔵した各種機器も本発明に含まれる。
【０４１１】
例えば、有機ＥＬ表示部内のモニタ用配線が配置されている発光画素の発光輝度の低下を補償してもよい。
【０４１２】
図４３は、映像データの階調に対応する、通常の発光画素の発光輝度及びモニタ用配線を有する発光画素の発光輝度を示すグラフである。なお、通常の発光画素とは、有機ＥＬ表示部の発光画素のうちモニタ用配線が配置されている発光画素以外の発光画素のことである。
【０４１３】
同図から明らかなように、映像データの階調が同じ場合、モニタ用配線を有する発光画素の輝度は、通常の発光画素の輝度よりも低下する。これは、モニタ用配線を設けたことにより、発光画素の保持容量１２６の容量値が減少してしまうからである。よって、有機ＥＬ表示部の全面を均一に同じ輝度で発光させるような映像データが入力されても、実際に有機ＥＬ表示部に表示される画像は、モニタ用配線を有する発光画素の輝度が他の発光画素の輝度より低くなるような画像となる。つまり、線欠陥が発生する。図４４は、線欠陥が発生している画像を模式的に示す図である。
【０４１４】
線欠陥を防止するために、表示装置は、データ線駆動回路１２０から有機ＥＬ表示部に供給する信号電圧を補正してもよい。具体的には、モニタ用配線を有する発光画素の位置は設計時に分かっているので、該当する場所の画素に与える信号電圧を、予め輝度が低下する分だけ高めに設定しておけばよい。これにより、モニタ用配線を設けたことによる線欠陥を防止できる。
【０４１５】
また、信号処理回路は、各色の階調に対応するＶＴＦＴ＋ＶＥＬの必要電圧を示す必要電圧換算テーブルを有するとしたが、必要電圧換算テーブルに代わり駆動トランジスタ１２５の電流−電圧特性と有機ＥＬ素子１２１の電流−電圧特性とを有し、２つの電流−電圧特性を用いてＶＴＦＴ+ＶＥＬを決定してもよい。
【０４１６】
図４５は、駆動トランジスタの電流−電圧特性と有機ＥＬ素子の電流−電圧特性とをあわせて示すグラフである。横軸は、駆動トランジスタのソース電位に対して下がる方向を正方向としている。
【０４１７】
同図には、２つの異なる階調に対応する駆動トランジスタの電流−電圧特性及び有機ＥＬ素子の電流−電圧特性が示され、低い階調に対応する駆動トランジスタの電流−電圧特性がＶｓｉｇ１、高い階調に対応する駆動トランジスタの電流−電圧特性がＶｓｉｇ２で示されている。
【０４１８】
駆動トランジスタのドレイン−ソース電圧の変動に起因する表示不良の影響を無くすためには、駆動トランジスタを飽和領域で動作させることが必要である。一方、有機ＥＬ素子の発光輝度は駆動電流によって決定される。したがって、映像データの階調に対応して有機ＥＬ素子を正確に発光させるためには、駆動トランジスタのソースと有機ＥＬ素子のカソードとの間の電圧から有機ＥＬ素子の駆動電流に対応する有機ＥＬ素子の駆動電圧（ＶＥＬ）を差し引き、差し引いた残りの電圧が駆動トランジスタを飽和領域で動作させることが可能な電圧となっていればよい。また、消費電力を低減するためには、駆動トランジスタの駆動電圧（ＶＴＦＴ）が低いことが望ましい。
【０４１９】
よって、図４５において、駆動トランジスタの線形領域と飽和領域との境界を示す線上で駆動トランジスタの電流−電圧特性と有機ＥＬ素子の電流−電圧特性とが交差する点を通る特性により求められるＶＴＦＴ＋ＶＥＬが、映像データの階調に対応して有機ＥＬ素子を正確に発光し、かつ、消費電力が最も低減できる。
【０４２０】
このように、図４５に示したグラフを用いて、各色の階調に対応するＶＴＦＴ＋ＶＥＬの必要電圧を換算してもよい。
【０４２１】
これにより、消費電力を一層削減することができる。
【０４２２】
また、実施の形態２、４〜８及び１０において、信号処理回路は、フレームごとに第１基準電圧Ｖｒｅｆ１を変えずに、複数フレーム（例えば、３フレーム）ごとに第１基準電圧Ｖｒｅｆ１を変えてもよい。
【０４２３】
これにより、第１基準電圧Ｖｒｅｆ１の電位が変動するために可変電圧源１８０で生じる消費電力を低減できる。
【０４２４】
また、信号処理回路は複数フレームにわたって電位差検出回路又は電位比較回路から出力された電位差を測定し、測定した電位差を平均化し、平均化した電位差に応じて可変電圧源を調整してもよい。具体的には、図２１に示すフローチャートにおいて検出点の電位の検出処理（ステップＳ１４）及び電位差の検出処理（ステップＳ１５）を複数フレームにわたって実行し、電圧マージンの決定処理（ステップＳ１６）において、電位差の検出処理（ステップＳ１５）で検出された複数フレームの電位差を平均化し、平均化した電位差に対応して電圧マージンを決定してもよい。
【０４２５】
また、信号処理回路は、有機ＥＬ素子１２１の経年劣化マージンを考慮して、第１基準電圧Ｖｒｅｆ１及び第２基準電圧Ｖｒｅｆ２を決定してもよい。例えば、有機ＥＬ素子１２１の経年劣化マージンをＶａｄとすると、信号処理回路１６０は第１基準電圧Ｖｒｅｆ１の電圧をＶＴＦＴ＋ＶＥＬ＋Ｖｄｒｏｐ＋Ｖａｄとしてもよく、信号処理回路２６０は第２基準電圧Ｖｒｅｆ２の電圧をＶＴＦＴ＋ＶＥＬ＋Ｖａｄとしてもよい。
【０４２６】
また、上記実施の形態においては、スイッチトランジスタ１２４及び駆動トランジスタ１２５をＰ型トランジスタとして記載したが、これらをＮ型トランジスタで構成してもよい。
【０４２７】
また、スイッチトランジスタ１２４及び駆動トランジスタ１２５は、ＴＦＴであるとしたが、その他の電界効果トランジスタであってもよい。
【０４２８】
また、上記実施の形態１〜１０に係る表示装置に含まれる処理部は、典型的には集積回路であるＬＳＩとして実現される。なお、上記表示装置に含まれる処理部の一部を、有機ＥＬ表示部と同一の基板上に集積することも可能である。また、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０４２９】
また、本発明の実施の形態１〜１０に係る表示装置に含まれるデータ線駆動回路、書込走査駆動回路、制御回路、ピーク信号検出回路、信号処理回路及び電位差検出回路の機能の一部を、ＣＰＵ等のプロセッサがプログラムを実行することにより実現してもよい。また、本発明は、上記表示装置が備える各処理部により実現される特徴的なステップを含む表示装置の駆動方法として実現してもよい。
【０４３０】
また、上記説明では、実施の形態１〜１０に係る表示装置がアクティブマトリクス型の有機ＥＬ表示装置である場合を例に述べたが、本発明を、アクティブマトリクス型以外の有機ＥＬ表示装置に適用してもよいし、電流駆動型の発光素子を用いた有機ＥＬ表示装置以外の表示装置、例えば液晶表示装置に適用してもよい。
【０４３１】
また、例えば、本発明に係る表示装置は、図４６に記載されたような薄型フラットＴＶに内蔵される。本発明に係る画像表示装置が内蔵されることにより、映像信号を反映した高精度な画像表示が可能な薄型フラットＴＶが実現される。
【産業上の利用可能性】
【０４３２】
本発明は、とりわけアクティブ型の有機ＥＬフラットパネルディスプレイに有用である。
【符号の説明】
【０４３３】
１０Ａ、１０Ｂ、１０Ｃ、１０Ｄ、１０Ｅ、１０Ｆ、１９０、１９０Ａ、１９０Ｂ、１９１、１９１Ａ、１９１Ｂ、１９２、１９２Ａ、１９３、１９３Ａ、２９０、３９１、３９２、３９３、３９４、３９５    モニタ用配線
５０、１００、２００、３００Ａ、３００Ｂ、４００、５００、６００、７００、８００、９００    表示装置
１１０、３１０、５１０、６１０、９１０    有機ＥＬ表示部
１１１、１１１Ｍ、１１１Ｍ１、１１１Ｍ２、１１１Ｍ３、１１１ＭＡ、１１１ＭＢ    発光画素
１１２    第１電源配線
１１３    第２電源配線
１２０    データ線駆動回路
１２１    有機ＥＬ素子
１２２    データ線
１２３    走査線
１２４    スイッチトランジスタ
１２５    駆動トランジスタ
１２６    保持容量
１３０    書込走査駆動回路
１４０    制御回路
１５０    ピーク信号検出回路
１６０、１６５、２６０    信号処理回路
１７０    電位差検出回路
１７０Ａ    高電位側電位差検出回路
１７０Ｂ    低電位側電位差検出回路
１７１    画素間電位差算出回路
１７５    電圧マージン設定部
１７５Ａ    高電位側電圧マージン設定部
１７５Ｂ    低電位側電圧マージン設定部
１８０、２８０    可変電圧源
１８０Ａ    高電位側可変電圧源
１８０Ｂ    低電位側可変電圧源
１８１、２８１    比較回路
１８２    ＰＷＭ回路
１８３    ドライブ回路
１８４    出力端子
１８５    出力検出部
１８６    誤差増幅器
３７０、３７０Ａ、３７０Ｂ、４７０    電位比較回路
Ｍ１、Ｍ２、Ｍ３    検出点
Ｒ１ｈ、Ｒ１ｖ    第１電源配線抵抗
Ｒ２ｈ、Ｒ２ｖ    第２電源配線抵抗
【図１】
2013008271.tif 000003
【図２】
2013008271.tif 000004
【図３】
2013008271.tif 000005
【図４】
2013008271.tif 000006
【図５】
2013008271.tif 000007
【図６】
2013008271.tif 000008
【図７】
2013008271.tif 000009
【図８】
2013008271.tif 000010
【図９】
2013008271.tif 000011
【図１０】
2013008271.tif 000012
【図１１】
2013008271.tif 000013
【図１２】
2013008271.tif 000014
【図１３】
2013008271.tif 000015
【図１４】
2013008271.tif 000016
【図１５】
2013008271.tif 000017
【図１６】
2013008271.tif 000018
【図１７】
2013008271.tif 000019
【図１８】
2013008271.tif 000020
【図１９】
2013008271.tif 000021
【図２０】
2013008271.tif 000022
【図２１】
2013008271.tif 000023
【図２２】
2013008271.tif 000024
【図２３】
2013008271.tif 000025
【図２４】
2013008271.tif 000026
【図２５】
2013008271.tif 000027
【図２６】
2013008271.tif 000028
【図２７】
2013008271.tif 000029
【図２８Ａ】
2013008271.tif 000030
【図２８Ｂ】
2013008271.tif 000031
【図２９Ａ】
2013008271.tif 000032
【図２９Ｂ】
2013008271.tif 000033
【図３０】
2013008271.tif 000034
【図３１】
2013008271.tif 000035
【図３２】
2013008271.tif 000036
【図３３Ａ】
2013008271.tif 000037
【図３３Ｂ】
2013008271.tif 000038
【図３４】
2013008271.tif 000039
【図３５】
2013008271.tif 000040
【図３６】
2013008271.tif 000041
【図３７Ａ】
2013008271.tif 000042
【図３７Ｂ】
2013008271.tif 000043
【図３８】
2013008271.tif 000044
【図３９】
2013008271.tif 000045
【図４０Ａ】
2013008271.tif 000046
【図４０Ｂ】
2013008271.tif 000047
【図４１】
2013008271.tif 000048
【図４２】
2013008271.tif 000049
【図４３】
2013008271.tif 000050
【図４４】
2013008271.tif 000051
【図４５】
2013008271.tif 000052
【図４６】
2013008271.tif 000053
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
高電位側及び低電位側の出力電位の少なくとも一方を出力する電源供給部と、
複数の発光画素がマトリクス状に配置され、前記電源供給部から電源供給を受ける表示部と、
前記表示部内における少なくとも一つの発光画素に一端が接続され、マトリクス状に配置された前記複数の発光画素の行方向または列方向に沿って配置された、前記発光画素に印加される高電位側の電位または低電位側の電位を伝達するための検出線と、
前記検出線の他端に接続され、前記高電位側の電位と基準電位との電位差、前記低電位側の電位と基準電位との電位差、及び、前記高電位側の電位と前記低電位側の電位との電位差のうち、いずれかが所定の電位差となるように、前記電源供給部から出力される高電位側及び前記低電位側の出力電位の少なくとも一方を調整する電圧調整部とを備える、
表示装置であって、
前記複数の発光画素は、それぞれ、
ソース電極及びドレイン電極を有する駆動素子と、
第１の電極及び第２の電極を有する発光素子とを備え、
前記第１の電極が前記駆動素子のソース電極及びドレイン電極の一方に接続され、前記ソース電極及びドレイン電極の他方と前記第２の電極との一方に前記高電位側の電位が印加され、前記ソース電極及びドレイン電極の他方と前記第２の電極との他方に前記低電位側の電位が印加され、
前記表示装置は、さらに、
前記行方向及び列方向の少なくとも一つの方向において相互に隣接する発光画素の有する前記駆動素子の前記ソース電極及びドレイン電極の他方どうしを電気的に接続する第１の電源線と、前記行方向及び列方向において相互に隣接する発光画素の有する前記発光素子の前記第２の電極どうしを電気的に接続する第２の電源線とを具備し、
前記複数の発光画素は、前記第１の電源線及び前記第２の電源線を介して前記電源供給部からの電源供給を受け、
前記検出線は、前記第１の電源線と同一の層に形成されている、
表示装置。
【請求項２】
（削除）
【請求項３】
（削除）
【請求項４】
（削除）
【請求項５】
（削除）
【請求項６】
さらに、前記検出線と同一の層に形成され、前記行方向及び列方向の少なくとも一つの方向に沿って配置された、前記発光画素を制御するための制御線を複数備え、
前記検出線と当該検出線に隣り合う前記制御線との間隔は、隣り合う前記制御線どうしの間隔と同一となるように配置されている、
請求項１に記載の表示装置。
【請求項７】
前記検出線は、前記制御線と同一の工程によって形成されたものである、
請求項６に記載の表示装置。
【請求項８】
前記第１の電源線が形成された層と前記第２の電源線が形成された層との間には、絶縁層が形成されており、
前記検出線の一端は、前記絶縁層に形成されたコンタクト部を介して前記第２の電極と接続されている、
請求項１に記載の表示装置。
【請求項９】
高電位側及び低電位側の出力電位の少なくとも一方を出力する電源供給部と、
複数の発光画素がマトリクス状に配置され、前記電源供給部から電源供給を受ける表示部と、
前記表示部内における少なくとも一つの発光画素に一端が接続され、マトリクス状に配置された前記複数の発光画素の行方向または列方向に沿って配置された、前記発光画素に印加される高電位側の電位または低電位側の電位を伝達するための検出線と、
前記検出線の他端に接続され、前記高電位側の電位と基準電位との電位差、前記低電位側の電位と基準電位との電位差、及び、前記高電位側の電位と前記低電位側の電位との電位差のうち、いずれかが所定の電位差となるように、前記電源供給部から出力される高電位側及び前記低電位側の出力電位の少なくとも一方を調整する電圧調整部とを備える、
表示装置であって、
前記複数の発光画素は、それぞれ、
ソース電極及びドレイン電極を有する駆動素子と、
第１の電極及び第２の電極を有する発光素子とを備え、
前記第１の電極が前記駆動素子のソース電極及びドレイン電極の一方に接続され、前記ソース電極及びドレイン電極の他方と前記第２の電極との一方に前記高電位側の電位が印加され、前記ソース電極及びドレイン電極の他方と前記第２の電極との他方に前記低電位側の電位が印加され、
前記表示装置は、さらに、
前記行方向及び列方向の少なくとも一つの方向において相互に隣接する発光画素の有する前記駆動素子の前記ソース電極及びドレイン電極の他方どうしを電気的に接続する第１の電源線と、前記行方向及び列方向において相互に隣接する発光画素の有する前記発光素子の前記第２の電極どうしを電気的に接続する第２の電源線と、前記第２の電源線に電気的に接続され、前記行方向または列方向に沿って配置された複数の補助電極線とを具備し、
前記複数の発光画素は、前記第１の電源線及び前記第２の電源線を介して前記電源供給部からの電源供給を受け、
前記検出線は、前記補助電極線と同一の層に形成され、前記検出線と前記第１の電源線との間には絶縁層が形成されている、
表示装置。
【請求項１０】
前記検出線は、前記第１の電極と同一の層に形成されている、
請求項９に記載の表示装置。
【請求項１１】
前記検出線と当該検出線に隣り合う前記補助電極線との間隔は、隣り合う前記補助電極線どうしの間隔と同一となるように配置されている、
請求項１０に記載の表示装置。
【請求項１２】
前記検出線は、前記補助電極線と同一の工程によって形成されたものである、
請求項１１に記載の表示装置。
【請求項１３】
（削除）
【請求項１４】
高電位側及び低電位側の出力電位の少なくとも一方を出力する電源供給部と、
複数の発光画素がマトリクス状に配置され、前記電源供給部から電源供給を受ける表示部と、
前記表示部内における少なくとも一つの発光画素に一端が接続され、マトリクス状に配置された前記複数の発光画素の行方向または列方向に沿って配置された、前記発光画素に印加される高電位側の電位または低電位側の電位を伝達するための検出線と、
前記検出線の他端に接続され、前記高電位側の電位と基準電位との電位差、前記低電位側の電位と基準電位との電位差、及び、前記高電位側の電位と前記低電位側の電位との電位差のうち、いずれかが所定の電位差となるように、前記電源供給部から出力される高電位側及び前記低電位側の出力電位の少なくとも一方を調整する電圧調整部とを備える、
表示装置であって、
前記複数の発光画素は、それぞれ、
ソース電極及びドレイン電極を有する駆動素子と、
第１の電極及び第２の電極を有する発光素子とを備え、
前記第１の電極が前記駆動素子のソース電極及びドレイン電極の一方に接続され、前記ソース電極及びドレイン電極の他方と前記第２の電極との一方に前記高電位側の電位が印加され、前記ソース電極及びドレイン電極の他方と前記第２の電極との他方に前記低電位側の電位が印加され、
前記表示装置は、さらに、
前記行方向及び列方向の少なくとも一つの方向において相互に隣接する発光画素の有する前記駆動素子の前記ソース電極及びドレイン電極の他方どうしを電気的に接続する第１の電源線と、前記行方向及び列方向において相互に隣接する発光画素の有する前記発光素子の前記第２の電極どうしを電気的に接続する第２の電源線とを具備し、
前記複数の発光画素は、前記第１の電源線及び前記第２の電源線を介して前記電源供給部からの電源供給を受け、
前記検出線は、前記発光素子、前記第１の電源線及び前記第２の電源線が形成された層と異なる所定の層に形成されており、当該所定の層において、前記検出線の配線面積は、検出線以外の電気配線の配線面積よりも大きい、
表示装置。
【請求項１５】
前記発光素子は、有機ＥＬ素子である、
請求項１、９または１４に記載の表示装置。
【請求項１６】
前記表示装置は、複数の前記検出線を備え、
前記複数の検出線は、３以上の前記発光画素に印加される高電位側の電位をそれぞれ伝達するための３本以上の高電位検出線、及び、３以上の前記発光画素に印加される低電位側の電位をそれぞれ伝達するための３本以上の低電位検出線の少なくとも一方を含み、
前記高電位検出線及び前記低電位検出線の少なくとも一方は、隣り合う検出線どうしの間隔が互いに同一となるよう配置されている、
請求項１、９または１４に記載の表示装置。
【請求項１７】
前記検出線は、前記表示部内における少なくとも一つの発光画素と、前記表示部の周縁部に配置された給電部との距離が最短となるように配置されている、
請求項１、９または１４に記載の表示装置。
【国際調査報告】
2013008271.tif 000054
2013008271.tif 000055
2013008271.tif 000056
2013008271.tif 000057